(57)【要約】【課題】画像表示品位及び耐表面押圧力に優れ、輝度低下の抑制された表示パネルを得る。【解決手段】表示パネル１０は、基板間隔Ｇを空けて対向配置された一対の基板２０，３０と、行列状に並ぶ画素部９０からなる複数の画素９１と、画素部９０の間を仕切る画素部間遮光部４１と、画素部間遮光部４１と重畳する位置において基板２０，３０の間に介在するスペーサ５０と、画素部間遮光部４１から画素部９０の内側に拡張するように設けられた拡張遮光部４２と、を備える。スペーサ５０は、基板間隔Ｇを規定する第１スペーサ５０Ｍと、基板２０から基板間隔Ｇよりも小さい突出長ＰＳを有して基板３０に向けて突出する第２スペーサ５０ＳＡ及び第３スペーサ５０ＳＢを含み、第３スペーサ５０ＳＢの配設面積は第２スペーサ５０ＳＡよりも小さい。【選択図】図４
2020173352.tif 000002
【特許請求の範囲】
【請求項１】
所定の基板間隔を空けて互いに対向配置された一対の基板と、
前記一対の基板の板面内に行列状に並ぶように配され、特定色を呈する第１画素部及び前記特定色とは異なる色を呈する第２画素部を少なくとも含む画素部からなる複数の画素と、
隣り合う前記画素部の間を仕切るように、前記一対の基板のうち少なくとも一方の基板に設けられた画素部間遮光部と、
前記一対の基板の間に介在し、前記一対の基板の法線方向から視て前記画素部間遮光部と重畳する位置に配されたスペーサと、
前記画素部間遮光部から前記画素部の内側に拡張するように設けられ、前記スペーサの周辺領域を遮光する拡張遮光部と、を備え、
前記スペーサは、
自然状態において前記一対の基板の双方に接するように介在して、前記基板間隔を規定する第１スペーサと、
前記一対の基板のうち少なくとも一方の基板に、他方の基板に向けて前記基板間隔よりも小さい突出長を有して突出するように設けられた第２スペーサと、
前記一対の基板のうち少なくとも一方の基板に、他方の基板に向けて前記基板間隔よりも小さい突出長を有して突出し、前記法線方向から視た配設面積が前記第２スペーサよりも小さくなるように設けられた第３スペーサと、を含む、表示パネル。
【請求項２】
前記第１スペーサは、前記法線方向から視て前記画素部に対し所定の相対的配置をなすように配されており、
前記第２スペーサは複数設けられ、前記法線方向から視て前記画素部に対し前記所定の相対的配置をなすように配されたものを含む、請求項１に記載の表示パネル。
【請求項３】
複数の前記第２スペーサのうち過半数が、前記法線方向から視て前記画素部に対し前記所定の相対的配置をなすように配されている、請求項２に記載の表示パネル。
【請求項４】
前記画素部は、行方向及び列方向について少なくとも２個ずつが並んで配され、 
前記画素部間遮光部は、格子状をなすように設けられており、
前記スペーサのうち、少なくとも前記第１スペーサ及び前記第２スペーサは、前記画素部間遮光部の交差部に設けられ、
前記第１スペーサ及び前記第２スペーサについての前記拡張遮光部は、前記交差部に隣接する４個の前記画素部の内側に拡張するように設けられている、請求項１から請求項３の何れか一項に記載の表示パネル。
【請求項５】
前記第３スペーサの配設数は、前記第２スペーサの配設数よりも多いものとされている、請求項１から請求項４の何れか一項に記載の表示パネル。
【請求項６】
前記画素部は、行方向について前記第１画素部と前記第２画素部とが一定の順序で繰り返し並ぶとともに、列方向については前記第１画素部もしくは前記第２画素部のそれぞれが繰り返し並んで配されており、
前記第２スペーサ及び前記第３スペーサは、前記画素部に対する前記行方向及び前記列方向についての配置が一定となって格子状に並ぶように配されている、請求項１から請求項５の何れか一項に記載の表示パネル。
【請求項７】
前記画素部は、行方向について前記第１画素部と前記第２画素部とが一定の順序で繰り返し並ぶとともに、列方向については前記第１画素部もしくは前記第２画素部のそれぞれが繰り返し並ぶように配列されており、
前記第２スペーサ及び前記第３スペーサは、前記画素部に対し、前記行方向についての配置が一定となるとともに前記列方向についての配置は所定量だけシフトして、千鳥状に並ぶように配されている、請求項１から請求項５の何れか一項に記載の表示パネル。
【請求項８】
前記第１スペーサは、前記第２スペーサの一部を置き換えた位置に配されている、請求項６又は請求項７に記載の表示パネル。
【請求項９】
前記第１スペーサに臨む前記画素部と隣接する前記画素部間遮光部には、前記第２スペーサが設けられていない、請求項１から請求項８の何れか一項に記載の表示パネル。
【請求項１０】
前記画素のそれぞれについて、当該画素に含まれる前記画素部に隣接する前記画素部間遮光部には、前記第１スペーサ及び前記第２スペーサが、これらの合計配設数が一定となるように設けられている、請求項１から請求項９の何れか一項に記載の表示パネル。
【請求項１１】
前記画素部は、前記第１画素部及び前記第２画素部とは異なる色を呈する第３画素部をさらに含み、
前記第１画素部は、前記第２画素部及び前記第３画素部と比較して、パネル透過率への寄与度が高く、
前記第１スペーサは、前記第２画素部もしくは前記第３画素部に隣接する前記画素部間遮光部に配されている、請求項１から請求項１０の何れか一項に記載の表示パネル。
【請求項１２】
前記第２スペーサは、前記第２画素部もしくは前記第３画素部に隣接する前記画素部間遮光部に配されている、請求項１１に記載の表示パネル。
【請求項１３】
請求項１から請求項１２の何れか一項に記載の表示パネルを備える、表示装置。
【発明の詳細な説明】
【技術分野】
【０００１】
本技術は、表示パネル及び表示装置に関する。
【背景技術】
【０００２】
従来、所定の基板間隔を空けて対向配置された一対の基板と、これらの基板間に介在する複数種のスペーサと、を備えた表示パネルが知られている。スペーサのうち、メインスペーサは、一対の基板の双方に接して介在するように設けられるのに対し、サブスペーサは、一方の基板から他方の基板に向けて突設され、他方の基板との間にクリアランスが維持されるように設けられる。例えば下記特許文献１には、ハーフトーンマスク（諧調マスク）と、スリットパターンとを組み合わせることにより、上記のような複数種のスペーサを突出長等の異なる柱状スペーサとして形成可能なカラーフィルタの製造方法が開示されている。
【先行技術文献】
【特許文献】
【０００３】
【特許文献１】特開２００８−４６６２４号公報
【発明の概要】
【発明が解決しようとする課題】
【０００４】
表示パネルにおいて、スペーサ及びその周辺領域では表示不良が生じ易いため、画像表示品位を確保する観点から、このような領域を覆って光の透過を遮断するスペーサ遮光部が設けられる。表示パネルにはまた、画像を表示させるための複数の画素部の間を仕切る画素部間遮光部が設けられる。スペーサは、通常、表示パネルを平面に視て、画素部間遮光部と重畳する位置に配されるが、スペーサ遮光部のうち画素部間遮光部に包含されない領域は、スペーサが配設された画素部間遮光部から当該スペーサに臨む画素部の内側に拡張された、拡張遮光部として形成される。このような拡張遮光部が設けられた画素部では、開口率が低下するために輝度が低下してしまう。
【０００５】
特に、メインスペーサは大きなスペーサ遮光部を要するため、メインスペーサに臨む画素部内には、大きな拡張遮光部が設けられる。よって、このような画素部では開口率が低下し、局所的に大幅な輝度低下が生じて表示画面上で輝度ムラとして視認される虞がある。そこで、例えば、メインスペーサに臨まない画素部において、スペーサが配設されていない部分にダミーとなる拡張遮光部を適宜に設けたり、サブスペーサに係る拡張遮光部がダミーとなるダミー領域を含むよう大きめに設けたりして開口率を意図的に低下させ、輝度ムラが目立たないように設計することがあった。しかしながら、スペーサ及びその周辺領域を覆うための拡張遮光部に加え、ダミーとなる拡張遮光部を設けると、表示パネル全体における開口率が大きく損なわれ、表示画面全体の大幅な輝度低下につながっていた。
【０００６】
本技術は、例えば上記のような事情に基づいて完成されたものであって、耐表面押圧力及び画像表示品位に優れ、輝度低下が抑制された表示パネルを得ることを目的とする。本技術はまた、このような表示パネルを備えた表示装置を提供することを目的とする。
【課題を解決するための手段】
【０００７】
（１）本明細書が開示する技術の一実施形態は、所定の基板間隔を空けて互いに対向配置された一対の基板と、前記一対の基板の板面内に行列状に並ぶように配され、特定色を呈する第１画素部及び前記特定色とは異なる色を呈する第２画素部を少なくとも含む画素部からなる複数の画素と、隣り合う前記画素部の間を仕切るように、前記一対の基板のうち少なくとも一方の基板に設けられた画素部間遮光部と、前記一対の基板の間に介在し、前記一対の基板の法線方向から視て前記画素部間遮光部と重畳する位置に配されたスペーサと、前記画素部間遮光部から前記画素部の内側に拡張するように設けられ、前記スペーサの周辺領域を遮光する拡張遮光部と、を備え、前記スペーサは、自然状態において前記一対の基板の双方に接するように介在して、前記基板間隔を規定する第１スペーサと、前記一対の基板のうち少なくとも一方の基板に、他方の基板に向けて前記基板間隔よりも小さい突出長を有して突出するように設けられた第２スペーサと、前記一対の基板のうち少なくとも一方の基板に、他方の基板に向けて前記基板間隔よりも小さい突出長を有して突出し、前記法線方向から視た配設面積が前記第２スペーサよりも小さくなるように設けられた第３スペーサと、を含む、表示パネルである。
【０００８】
（２）また、本明細書が開示する技術のある実施形態は、上記（１）の構成に加え、前記第１スペーサは、前記法線方向から視て前記画素部に対し所定の相対的配置をなすように配されており、前記第２スペーサは複数設けられ、前記法線方向から視て前記画素部に対し前記所定の相対的配置をなすように配されたものを含む、表示パネルである。
【０００９】
（３）また、本明細書が開示する技術のある実施形態は、上記（２）の構成に加え、複数の前記第２スペーサのうち過半数が、前記法線方向から視て前記画素部に対し前記所定の相対的配置をなすように配されている、表示パネルである。
【００１０】
（４）また、本明細書が開示する技術のある実施形態は、上記（１）から（３）の何れかの構成に加え、前記画素部は、行方向及び列方向について少なくとも２個ずつが並んで配され、前記画素部間遮光部は、格子状をなすように設けられており、前記スペーサのうち、少なくとも前記第１スペーサ及び前記第２スペーサは、前記画素部間遮光部の交差部に設けられ、前記第１スペーサ及び前記第２スペーサについての前記拡張遮光部は、前記交差部に隣接する４個の前記画素部の内側に拡張するように設けられている、表示パネルである。
【００１１】
（５）また、本明細書が開示する技術のある実施形態は、上記（１）から（４）の何れかの構成に加え、前記第３スペーサの配設数は、前記第２スペーサの配設数よりも多いものとされている、表示パネルである。
【００１２】
（６）また、本明細書が開示する技術のある実施形態は、上記（１）から（５）の何れかの構成に加え、前記画素部は、行方向について前記第１画素部と前記第２画素部とが一定の順序で繰り返し並ぶとともに、列方向については前記第１画素部もしくは前記第２画素部のそれぞれが繰り返し並んで配されており、前記第２スペーサ及び前記第３スペーサは、前記画素部に対する前記行方向及び前記列方向についての配置が一定となって格子状に並ぶように配されている、表示パネルである。
【００１３】
（７）また、本明細書が開示する技術のある実施形態は、上記（１）から（５）の何れかの構成に加え、前記画素部は、行方向について前記第１画素部と前記第２画素部とが一定の順序で繰り返し並ぶとともに、列方向については前記第１画素部もしくは前記第２画素部のそれぞれが繰り返し並ぶように配列されており、前記第２スペーサ及び前記第３スペーサは、前記画素部に対し、前記行方向についての配置が一定となるとともに前記列方向についての配置は所定量だけシフトして、千鳥状に並ぶように配されている、表示パネルである。
【００１４】
（８）また、本明細書が開示する技術のある実施形態は、上記（６）又は（７）の構成に加え、前記第１スペーサは、前記第２スペーサの一部を置き換えた位置に配されている、表示パネルである。
【００１５】
（９）また、本明細書が開示する技術のある実施形態は、上記（１）から（８）の何れかの構成に加え、前記第１スペーサに臨む前記画素部と隣接する前記画素部間遮光部には、前記第２スペーサが設けられていない、表示パネルである。
【００１６】
（１０）また、本明細書が開示する技術のある実施形態は、上記（１）から（９）の何れかの構成に加え、前記画素のそれぞれについて、当該画素に含まれる前記画素部に隣接する前記画素部間遮光部には、前記第１スペーサ及び前記第２スペーサが、これらの合計配設数が一定となるように設けられている、表示パネルである。
【００１７】
（１１）また、本明細書が開示する技術のある実施形態は、上記（１）から（１０）の何れかの構成に加え、前記画素部は、前記第１画素部及び前記第２画素部とは異なる色を呈する第３画素部をさらに含み、前記第１画素部は、前記第２画素部及び前記第３画素部と比較して、パネル透過率への寄与度が高く、前記第１スペーサは、前記第２画素部もしくは前記第３画素部に隣接する前記画素部間遮光部に配されている、表示パネルである。
【００１８】
（１２）また、本明細書が開示する技術のある実施形態は、上記（１１）の構成に加え、前記第２スペーサは、前記第２画素部もしくは前記第３画素部に隣接する前記画素部間遮光部に配されている、表示パネルである。
【００１９】
（１３）また、本明細書が開示する技術のある実施形態は、上記（１）から（１２）の何れかの構成の表示パネルを備えた、表示装置である。
【発明の効果】
【００２０】
本技術によれば、耐表面押圧力及び画像表示品位に優れ、輝度低下が抑制された表示パネルを得、このような表示パネルを備えた表示装置を提供することができる。
【図面の簡単な説明】
【００２１】
【図１】実施形態１に係る液晶表示装置の概略構成を示す平面模式図
【図２】液晶パネルの画素部間における断面構成の概略を示す模式図
【図３】アレイ基板のＴＦＴ近傍における平面構成の概略を示す模式図
【図４】ＣＦ基板の平面構成の概略を示す模式図
【図５】メインスペーサに加えて１種類のサブスペーサのみを設けた比較例に係るＣＦ基板の平面構成の概略を示す模式図
【図６】検証実験１の結果を表す表
【図７】実施形態２に係るＣＦ基板の平面構成の概略を示す模式図
【図８】検証実験２の結果を表す表
【図９】実施形態３に係るＣＦ基板の平面構成の概略を示す模式図
【図１０】検証実験３の結果を表す表
【図１１】実施形態４に係るＣＦ基板の平面構成の概略を示す模式図
【図１２】検証実験４の結果を表す表
【図１３】実施形態５に係るＣＦ基板の平面構成の概略を示す模式図
【図１４】検証実験５の結果を表す表
【図１５】実施形態６に係るＣＦ基板の平面構成の概略を示す模式図
【図１６】検証実験６の結果を表す表
【図１７】他の実施形態の一例に係るスペーサ及び遮光層の配設状態を示す平面模式図
【図１８】他の実施形態の別の一例に係るスペーサ及び遮光層の配設状態を示す平面模式図
【図１９】他の実施形態のさらに別の一例に係るスペーサ及び遮光層の配設状態を示す平面模式図
【発明を実施するための形態】
【００２２】
＜実施形態１＞
実施形態１を、図１から図７によって説明する。本実施形態１では、液晶パネル（表示パネルの一例）１０を備える液晶表示装置（表示装置の一例）１について例示する。なお、各図面の一部にはＸ軸、Ｙ軸及びＺ軸を示しており、各軸方向が各図面において同一方向となるように描かれている。複数の同一部材については、一の部材に符号を付し、他の部材については符号を省略することがある。また、以下の説明では、図１の紙面手前側で図２の上側を、前側（下側を背面側）と称することがある。
【００２３】
本実施形態１に係る液晶表示装置１は、例えば携帯電話端末（スマートフォン等を含む）、ノートパソコン（タブレット型ノートパソコン等を含む）、ウェアラブル端末（スマートウォッチ等を含む）、携帯型情報端末（電子ブックやＰＤＡ等を含む）、携帯型ゲーム機等の各種電子機器（図示せず）等とすることができ、液晶パネル１０は、画面サイズが、例えば数インチ〜十数インチ程度の、一般的には小型又は中小型に分類される大きさとすることができる。しかし、このようなものに限定されることはなく、数十インチ以上の中型又は大型（超大型）に分類される画面サイズの表示装置にも、本技術は適用可能である。
【００２４】
図１は、液晶表示装置１の概略構成を示した平面模式図である。液晶表示装置１は、同図に示すように、画像を表示可能な液晶パネル１０と、液晶パネル１０を駆動するドライバ（パネル駆動部、駆動回路部）１２と、ドライバ１２に対して各種入力信号を外部から供給する制御回路基板（外部の信号供給源）１３と、液晶パネル１０と制御回路基板１３とを電気的に接続するフレキシブル基板（外部接続部品）１４と、を有する。ドライバ１２及びフレキシブル基板１４は、液晶パネル１０に対して例えばＡＣＦ（Anisotropic Conductive Film）を介して実装されている。また、液晶表示装置１は、液晶パネル１０の背面側に配されて液晶パネル１０に表示のための光を照射する外部光源であるバックライト装置をさらに有する。
【００２５】
図１に示すように、液晶パネル１０は、全体として縦長な方形状（矩形状）をなしている。液晶パネル１０の板面のうち、中央側には、画像を表示可能な表示領域（アクティブエリア）ＡＡが配される。液晶パネル１０の板面のうち、表示領域ＡＡを取り囲む外周側には、平面に視て枠状（額縁状）をなす非表示領域（ノンアクティブエリア）ＮＡＡが配される。以下では、液晶パネル１０における短辺方向が各図面のＸ軸方向と一致し、長辺方向が各図面のＹ軸方向と一致し、さらには板厚方向がＺ軸方向と一致するものとして説明する。なお、図１では、一点鎖線が表示領域ＡＡの外形を表しており、当該一点鎖線よりも外側の領域が非表示領域ＮＡＡとなっている。
【００２６】
図２は、液晶パネル１０の断面構成の一例を示す模式図である。液晶パネル１０は、同図に示すように、何れも耐熱性と絶縁性と高い透光性とを備えたガラス板や樹脂板等からなる透明基板２１，３１を少なくとも有しており、この透明基板２１，３１上に、後述する各種の層が所定のパターンで積層形成されている。透明基板２１，３１のうち、前側に配される透明基板２１がＣＦ基板（対向基板）２０を構成し、背面側に配される透明基板３１がアレイ基板（薄膜トランジスタ基板、アクティブマトリクス基板、ＴＦＴ基板）３０を構成する。ＣＦ基板２０及びアレイ基板３０からなる一対の基板間には、所定のセルギャップＧが維持され、液晶層ＬＣが封入される。液晶層ＬＣには、電界印加に伴って光学特性が変化する電気光学物質である液晶分子が含まれている。本実施形態１では、ＦＦＳ（Fringe Field Switching）モードで駆動される液晶パネル１０について例示する。なお、両透明基板２１，３１の外面側には、それぞれ偏光板が貼り付けられている。
【００２７】
図３は、アレイ基板３０の平面構成の一例を示す模式図である。なお、同図では、アレイ基板３０に設けられた構造を実線もしくは点線で表し、この上に重ねられるＣＦ基板２０に設けられた構造を想像線（一点鎖線もしくは二点鎖線）で表している。アレイ基板３０の表示領域ＡＡにおける内面側（液晶層ＬＣ側、ＣＦ基板２０との対向面側）には、図３に示すように、スイッチング素子であるＴＦＴ６０と、画素電極７０が、行列状に複数並んで設けられる。ＴＦＴ６０及び画素電極７０の周りには、これらを取り囲むように、格子状をなすゲート配線（走査配線）８１及びソース配線（信号配線、データ線）８２が配設される。つまり、ＴＦＴ６０及び画素電極７０は、平面に視て、格子状をなすゲート配線８１及びソース配線８２の各交差部近傍に割り当てられる形となっている。ゲート配線８１は、Ｘ軸方向に沿って直線状に延在するのに対し、ソース配線８２は、概ねＹ軸方向に沿ってジグザグ状に延在する。以下、Ｘ軸方向を行方向、Ｙ軸方向を列方向、と称することがある。
【００２８】
図３に示すように、ＴＦＴ６０は、ゲート配線８１に接続されるゲート電極６１と、ソース配線８２に接続されるソース電極６２と、後述するドレイン配線８４を介して画素電極７０に接続されるドレイン電極６３と、ソース電極６２及びドレイン電極６３に接続されるチャネル部６４と、を有する。ゲート配線８１を通じて伝送される走査信号に基づいてＴＦＴ６０が駆動されると、ソース配線８２に供給される画像信号に係る電位がチャネル部６４を介してドレイン電極６３に供給され、画素電極７０が画像信号に係る電位に充電されるようになっている。
【００２９】
同じく図３に示すように、画素電極７０は、一対ずつのゲート配線８１及びソース配線８２によって囲まれた領域に配されており、縦長の概ね平行四辺形状をなす。各画素電極７０の短辺は、Ｘ軸方向に沿って直線状に延在するゲート配線８１に並行する。また、各画素電極７０は、Ｙ軸方向には交互に反転して配列され、短辺に対し傾斜した直線状をなす長辺が全体としてソース配線８２に沿ったジグザグ状をなすように配される。画素電極７０には、自身の長辺に沿って延在する複数（本実施形態１では４本）のスリット７０Ａが開口形成されている。アレイ基板３０の表示領域ＡＡの内面側には、画素電極７０と重畳する形で共通電極７５が形成されている（図２参照）。互いに重畳する画素電極７０と共通電極７５との間に電位差が生じると、液晶層ＬＣには、アレイ基板３０の板面に沿う成分に加えて、スリット７０Ａ付近ではアレイ基板３０の板面に対する法線方向の成分を含むフリンジ電界（斜め電界）が印加される。
【００３０】
同じく図３に示すように、画素電極７０をＹ軸方向について両側から挟み込む一対のゲート配線８１の間となる位置には、複数ずつの画素電極７０及びソース配線８２を横切る形で、ゲート配線８１に並行する容量配線８３が設けられている。容量配線８３は、画素電極７０及びソース配線８２とは異なる層に配されるとともに画素電極７０の一部と重畳しており、静電容量を形成する。この容量配線８３により、ＴＦＴ６０の駆動に伴って充電された画素電極７０の電位を、一定期間保持することが可能とされる。容量配線８３は、ゲート配線８１と同層に配されている。好ましくは、容量配線８３は、共通電極７５と同電位とされるが、必ずしもその限りではない。
【００３１】
アレイ基板３０の内面側に積層形成された各種の膜について説明する。アレイ基板３０には、図２に表されているように、透明基板３１側から順に、第１金属膜（ゲート金属膜）３２Ａ、ゲート絶縁膜３３、半導体膜３４、第２金属膜（ソース金属膜）３２Ｂ、第１層間絶縁膜３５Ａ、平坦化膜３６、第１透明電極膜３７Ａ、第２層間絶縁膜３５Ｂ、第２透明電極膜、配向膜が積層形成されている。なお、図２は、液晶パネル１０の表示領域ＡＡのうち、画素部間における断面構成を表した図であり、第２透明電極膜は同図には表れていない。また、図２等では、配向膜の図示を省略している。これらの各膜は、フォトリソグラフィ技術等の公知の成膜技術を利用して形成することができる。
【００３２】
第１金属膜３２Ａは、異なる種類の金属材料を積層してなる積層膜又は１種類の金属材料からなる単層膜とされ、ＴＦＴ６０のゲート電極６１や、ゲート配線８１、容量配線８３、予備配線等を構成する。ゲート絶縁膜３３は、ＳｉＮｘやＳｉＯ２等の無機絶縁材料（無機材料）からなる。半導体膜３４は、材料として例えば酸化物半導体を用いた薄膜からなり、ＴＦＴ６０のチャネル部６４等を構成する。第２金属膜３２Ｂは、第１金属膜３２Ａと同様の積層膜又は単層膜とされ、ＴＦＴ６０のソース電極６２及びドレイン電極６３や、ソース配線８２、ドレイン配線８４等を構成する。第１層間絶縁膜３５Ａは、ゲート絶縁膜３３と同様の無機絶縁材料からなる。平坦化膜３６は、例えばＰＭＭＡ（アクリル樹脂）等の有機絶縁材料（有機材料）からなり、その膜厚が無機樹脂材料からなる他の絶縁膜３３，３５Ａ，３５Ｂよりも大きいものとされる。この平坦化膜３６によりアレイ基板３０の内側表面が平坦化される。第１透明電極膜３７Ａは、例えばＩＴＯ等の透明電極材料からなり、共通電極７５を構成する。第２層間絶縁膜３５Ｂは、ゲート絶縁膜３３等と同様の無機絶縁材料からなる。第２透明電極膜は、第１透明電極膜３７Ａと同様の透明電極材料からなり、画素電極７０を構成する。配向膜は、例えばポリイミド等からなり、アレイ基板３０の最も内側（液晶層ＬＣ側）に配されて、両基板２０，３０間に封入される液晶層ＬＣに接して、液晶層ＬＣ中の液晶分子を所定の方向に配向させる機能を奏する。必要に応じて、適宜ラビング等の配向処理を施して用いることができる。
【００３３】
図３に表されているように、第１層間絶縁膜３５Ａ、平坦化膜３６及び第２層間絶縁膜３５Ｂには、コンタクトホールＣＨが開口形成されている。コンタクトホールＣＨは、第２透明電極膜からなる画素電極７０を第２金属膜３２Ｂからなるドレイン配線８４に接続するためのものであり、平面に視て、画素電極７０及びドレイン配線８４の双方と重畳する位置に配される。第１層間絶縁膜３５Ａ、平坦化膜３６及び第２層間絶縁膜３５Ｂは、コンタクトホールＣＨを除き、少なくとも表示領域ＡＡの全域にわたってベタ状に形成されている。
【００３４】
続いて、図２から図４を参照しつつＣＦ基板２０について説明する。ＣＦ基板２０の表示領域ＡＡにおける内面側（液晶層ＬＣ側、アレイ基板３０との対向面側）には、図２に示すように、透明基板２１側から順に、遮光層４０、カラーフィルタ２２、オーバーコート層２３が設けられ、オーバーコート層２３の表面には、液晶層ＬＣ側に突出するようにスペーサ５０が突設される。オーバーコート層２３は、カラーフィルタ２２を保護する機能を有し、少なくとも表示領域ＡＡ内に概ねベタ状に設けられる。なお、これらの構造物の最表面には、液晶層ＬＣと接する配向膜が形成されているが、図２等では配向膜の図示を省略している。
【００３５】
図２に示すように、カラーフィルタ２２は複数の着色部２４からなる。図４に示すように、複数の着色部２４は、液晶パネル１０の板面内においてＸ軸方向（行方向）及びＹ軸方向（列方向）について多数個ずつが行列状に配列されている。各着色部２４は、アレイ基板３０に設けられた各画素電極７０と対向状をなす位置に形成されており、各画素電極７０に倣った縦長の概ね平行四辺形状をなす。互いに対向する着色部２４と画素電極７０によって、画素部９０が構成される。各着色部２４は、呈する色に応じた顔料を含有しており、その顔料によって非呈色光を吸収することで、呈色光（特定の色の光）を選択的に透過させる。図２に示すように、本実施形態に係るカラーフィルタ２２は、赤色を呈する赤色着色部２４−Ｒ、緑色を呈する緑色着色部２４−Ｇ、青色を呈する青色着色部２４−Ｂ、の３色の着色部２４からなり、Ｘ軸方向に並んだ１個ずつの赤色画素部９０−Ｒ、緑色画素部９０−Ｇ、青色画素部９０−Ｂが１セットとなって、各画素９１が構成される。図４に示すように、本実施形態に係る液晶パネル１０では、複数の画素９１が表示領域ＡＡ内に行列状に複数配されることで、所定の諧調のカラー表示が可能とされている。
【００３６】
図４に示すように、本実施形態に係る各画素部９０は、平面に視て、合同な平行四辺形状をなすように形成されている。言い換えると、表示領域ＡＡ内における各着色部２４の面積比率は、全て等しいものとされる。画素９１は、Ｘ軸方向には、隣り合う画素部９０が互いに異なる色を呈するように配列される。すなわちＸ軸方向には、赤色画素部９０−Ｒ、緑色画素部９０−Ｇ及び青色画素部９０−Ｂが、所定の順で繰り返し並ぶように配される。一方、Ｙ軸方向には、隣り合う画素部９０が同じ色を呈するように、配列される。すなわちＹ軸方向には、表示領域ＡＡのほぼ全長にわたって、赤色画素部９０−Ｒ、緑色画素部９０−Ｇもしくは青色画素部９０−Ｂがそれぞれ連なるように配される。画素部９０は、画素電極７０と同じく、Ｙ軸方向には交互に反転して配列され、アレイ基板３０のソース配線（信号配線）８２に沿ってジグザグ状に延在するように配される。
【００３７】
画素９１を構成する３色の赤色画素部９０−Ｒ、緑色画素部９０−Ｇ、青色画素部９０−Ｂのうち、赤色画素部９０−Ｒ及び青色画素部９０−Ｂは、緑色光に比べて比視感度が低い赤色光及び青色光をそれぞれ選択的に透過することから、同等の階調であっても緑色画素部９０−Ｇより暗い表示となる。逆に、緑色画素部９０−Ｇは、赤色光や青色光と比べて比視感度の高い緑色光を選択的に透過するため、同等の階調でも、赤色画素部９０−Ｒや青色画素部９０−Ｂと比較して明るい表示となる。例えば、画素部開口率の平均が同じ６０％であっても、緑色画素部９０−Ｇの開口率を６６％、赤色画素部９０−Ｒ及び青色画素部９０−Ｂの開口率を５７％とした液晶パネルの方が、赤色画素部９０−Ｒもしくは青色画素部９０−Ｂの開口率を６６％とし、緑色画素部９０−Ｇを含む残り２色の画素部９０の開口率を５７％とした液晶パネルよりもパネル透過率が高く、画面輝度が高くなる。よって、各画素部９０の開口率を変化させて液晶パネル１０の画面輝度向上を図ろうとする場合、緑色画素部９０−Ｇの開口率を高めることで、赤色画素部９０−Ｒや青色画素部９０−Ｂの開口率を高めるよりも効果的に、画面輝度をアップさせることができる。換言すれば、緑色画素部９０−Ｇは、赤色画素部９０−Ｒや青色画素部９０−Ｂと比較して、液晶パネル１０のパネル透過率への寄与度が高いといえる。
【００３８】
図４等に示すように、遮光層４０は、平面に視て所定のパターンをなすように形成される。表示領域ＡＡ内に設けられる遮光層４０には、例えば、画素部間遮光部４１及びスペーサ遮光部が含まれる。
【００３９】
図４に示すように、画素部間遮光部４１は、表示領域ＡＡ内において、全体として概ねＸ軸方向及びＹ軸方向に沿った格子状をなし、隣り合う各画素部９０の間を仕切るように設けられる。Ｘ軸方向及びＹ軸方向について隣り合う画素部９０の境界に配される画素部間遮光部４１によって、Ｘ軸方向及びＹ軸方向について隣り合う画素部９０の間で光が行き来する事態が生じ難くなり、各画素部９０における表示階調の独立性が担保される。このように、画素部間遮光部４１は、各画素電極７０の駆動によって透過がオンオフされる各画素部９０の光の境界を際立たせ、混色を防いで、表示画像のコントラストを高める機能を有する。図３の拡大図にも二点鎖線で示したように、画素部間遮光部４１のうち、Ｘ軸方向に沿って延びるＸ軸方向延在部分４１Ｘは、ゲート配線８１に沿って延在する。一方、概ねＹ軸方向に沿って延びるＹ軸方向延在部分４１Ｙは、ソース配線８２に沿ってジグザグ状に延在する。なお、本実施形態で例示するＣＦ基板２０では、Ｘ軸方向延在部分４１Ｘが、Ｙ軸方向延在部分４１Ｙよりも広幅に形成されて、アレイ基板３０のゲート配線８１のみならず、これに並行する容量配線８３や、ＴＦＴ６０等の構造物にも重畳されている。以下、Ｘ軸方向延在部分４１ＸとＹ軸方向延在部分４１Ｙとが交差する部分を、交差部４１Ａと称することがある。
【００４０】
スペーサ遮光部は、表示領域ＡＡ内において、スペーサ５０及びその周辺領域を遮光するように設けられる。スペーサ５０の周辺領域を遮光するため、スペーサ遮光部は、平面に視て、スペーサ５０のひと回り大きな相似形をなす領域、すなわちスペーサ５０の外周から一定幅だけ拡張された領域内を覆うように形成されることが好ましい。スペーサ遮光部により、スペーサ５０がアレイ基板３０の表面に擦れて生じる削り滓に起因する輝点欠陥や、スペーサ５０の存在によって液晶層ＬＣ中の液晶分子の配向性が乱れることによる配向攪乱に起因する表示不良が、液晶パネル１０の画像表示面において視認され難くなる。このように、スペーサ遮光部は、スペーサ５０及びその周辺領域において生じる表示不良を視認され難くすることで、液晶パネル１０の画像表示品位の低下を抑制する機能を有する。後述するように、本実施形態では、スペーサ５０が画素部間遮光部４１と重畳する位置に配される。このようにすれば、スペーサ遮光部の少なくとも一部が画素部間遮光部４１に包含されることで、液晶パネル１０全体における遮光層４０の配設領域を小さくすることができる。図３及び図４に示すように、スペーサ遮光部のうち画素部間遮光部４１に包含されない領域は、当該画素部間遮光部４１に隣接する画素部９０の内側に拡張された、拡張遮光部４２として形成される。拡張遮光部４２については、後述する。
【００４１】
さて、本実施形態では、スペーサ５０として、メインスペーサ（第１スペーサの一例）５０Ｍに加え、大サブスペーサ（第２スペーサの一例）５０ＳＡ及び小サブスペーサ（第３スペーサの一例）５０ＳＢの２種類のサブスペーサが形成される。スペーサ５０は、例えば透明な樹脂材料等で形成することができる。図２から図４を参照しつつ、これらのスペーサ５０について説明する。
【００４２】
図２に表されているように、メインスペーサ５０Ｍは、その突出長ＰＭが、セルギャップＧと略同等とされる。これにより、メインスペーサ５０Ｍの突出端面がアレイ基板３０の内側表面に接し、一対の基板の双方に接するように介在することで、両基板２０，３０の基板間隔が一定に保たれ、セルギャップＧが維持される。なお、詳細には、メインスペーサ５０Ｍは、アレイ基板３０とＣＦ基板２０とを貼り合わせる際の荷重によって若干圧縮されるため、メインスペーサ５０Ｍを形成する際には、この圧縮分を考慮して突出長ＰＭを規定するとよい。
【００４３】
他方、両サブスペーサ５０ＳＡ，５０ＳＢは、その突出長ＰＳが、メインスペーサ５０Ｍの突出長ＰＭ（すなわちセルギャップＧ）よりも小さくなるように形成され、アレイ基板３０の内側表面との間にクリアランスを維持した状態で対向配置される。両サブスペーサ５０ＳＡ，５０ＳＢは、主として液晶パネル１０の板面を押圧する外力が作用した際に、この押圧力を受け止めて液晶パネル１０の内部に形成された構造を保護する機能を有する。アレイ基板３０もしくはＣＦ基板２０を押圧するような外力が作用した場合には、ＣＦ基板２０に設けられたサブスペーサ５０ＳＡ，５０ＳＢとアレイ基板３０の内側表面との間に形成されていたクリアランスの分だけ基板２０，３０の変形が許容されるものの、それ以上の変形は、ＣＦ基板２０に突設されたサブスペーサ５０ＳＡ，５０ＳＢの突出端面がアレイ基板３０の内側表面に当接することで、規制される。なお、両サブスペーサ５０ＳＡ，５０ＳＢを、常態ではアレイ基板３０に当接しないように構成したことで、これらの存在による液晶層ＬＣの容積量の過剰な低下を抑制し、また突出端によるアレイ基板３０の内側表面の損傷を軽減することができる。
【００４４】
図２及び図３に表されているように、本実施形態では、メインスペーサ５０Ｍ及び両サブスペーサ５０ＳＡ，５０ＳＢを、断面が略円盤状をなすように、ＣＦ基板２０からアレイ基板３０に向けて縮径する円錐台形状に形成した場合について例示する。メインスペーサ５０Ｍ及び両サブスペーサ５０ＳＡ，５０ＳＢの配設面積は、各スペーサ５０の機能と、これらの遮光に要する遮光面積とのバランスを考慮して設定することが好ましい。以下、「スペーサの配設面積」とは、各スペーサの基底部における面積をいうものとする。液晶パネル１０の耐表面押圧力は、何れもサブスペーサ面積密度、すなわち液晶パネルの板面全体の面積に対するサブスペーサの配設面積の総和の比率に依存する。よって、一定値以上の耐表面押圧力を確保するために、サブスペーサ５０ＳＡ，５０ＳＢは、複数のサブスペーサ５０ＳＡ，５０ＳＢの配設面積の総和が、液晶パネル１０の板面全体の面積に対して所定の比率以上となるように設けられる。サブスペーサ面積密度は、液晶パネル１０の使用環境によっても異なるが、後述するサブスペーサ遮光部による画素部開口率の低下を考慮し、具体的には、概ね５％以上とすることが好ましい。
【００４５】
メインスペーサ５０Ｍは、外部からの力が作用していない自然状態、すなわち常態でアレイ基板３０の内側表面に接しているため、この周辺領域では輝点欠陥や配向攪乱が生じ易い。よって、既述したスペーサ遮光部のうち、メインスペーサ５０Ｍの周辺領域を遮光するメインスペーサ遮光部は、大きく設定する必要がある。液晶パネル１０全体における遮光層４０の配設面積を小さくして輝度低下を抑制する観点から、メインスペーサ５０Ｍは、セルギャップＧを維持できる範囲において、それぞれの配設面積ができるだけ小さく、また配設数ができるだけ少なくなるように、設定することが好ましい。通常、画素部の総数に対するメインスペーサの配設数は、１／１００〜１／１０程度とされる。
【００４６】
他方、両サブスペーサ５０ＳＡ，５０ＳＢは、常態ではアレイ基板３０の内側表面との間にクリアランスを維持した状態で対向配置されるため、これらの周辺領域では、メインスペーサ５０Ｍの周辺領域と比べて表示不良が生じ難い。よって、スペーサ遮光部のうち、サブスペーサ５０ＳＡ，５０ＳＢの周辺領域を遮光するサブスペーサ遮光部は、比較的小さくすることができる。サブスペーサは、液晶パネル１０にピンポイントで外力が加わるケースも想定した上で十分な耐表面押圧力を確保するため、一定以上の配設面積及び配設数（分布密度）とする必要がある。通常、画素部の総数に対するサブスペーサの配設数は、１／５〜１／１程度とされる。また、サブスペーサ遮光部は、平面に視て、サブスペーサの外周から一定幅だけ拡張された領域を覆うように設けられるため、本実施形態のように、サブスペーサを、大きさの異なる大サブスペーサ５０ＳＡと小サブスペーサ５０ＳＢとを含むものとする場合、小サブスペーサ５０ＳＢに係る小サブスペーサ遮光部は、大サブスペーサ５０ＳＡに係る大サブスペーサ遮光部よりもさらに小さくすることができる。液晶パネル１０における遮光層４０の配設面積を小さくして輝度低下を抑制する観点から、大サブスペーサ５０ＳＡの配設数よりも、小サブスペーサ５０ＳＢの配設数が多くなるように設定することが好ましい。
【００４７】
図３及び図４に表されているように、スペーサ５０は、画素部間遮光部４１と重畳する位置に配設することが好ましい。このようにすれば、スペーサ遮光部の一部もしくは全部を画素部間遮光部４１に包含させ、遮光層４０の配設面積をできるだけ小さく抑えつつ、多数のスペーサ５０を表示パネルの面内に一定の頻度で分布させることができるからである。本実施形態では、メインスペーサ５０Ｍ及び両サブスペーサ５０ＳＡ，５０ＳＢを、何れも画素部間遮光部４１と重畳する位置に配設した場合について例示する。これらのスペーサ５０は、格子状に形成された画素部間遮光部４１の交差部４１Ａに配設することが好ましい。このように配置すれば、画素部間遮光部４１に包含されるスペーサ遮光部の面積を増加させて、画素部９０の内側に拡張形成される拡張遮光部４２を小さくすることができるからである。特に、必要とするスペーサ遮光部が大きいメインスペーサ５０Ｍや、比較的大きい大サブスペーサ５０ＳＡでは、このような効果が大きくなる。本実施形態では、図４に表されているように、メインスペーサ５０Ｍ及び両サブスペーサ５０ＳＡ，５０ＳＢを、何れも画素部間遮光部４１の交差部４１Ａの中心、すなわちＸ軸方向延在部分４１Ｘの中心線ＣＬＸとＹ軸方向延在部分４１Ｙの中心線ＣＬＹとが交差する交点に、その中心を重畳させて配置した場合について例示している。液晶パネル１０全体におけるメインスペーサ５０Ｍ及び両サブスペーサ５０ＳＡ，５０ＳＢの平面配置については、後述する。
【００４８】
続いて、拡張遮光部４２について説明する。図３等に示すように、本実施形態において、拡張遮光部４２は、画素部間遮光部４１のうちスペーサ５０Ｍ，５０ＳＡ，５０ＳＢが配置される交差部４１Ａから連なり、当該交差部４１Ａによって仕切られる４個の画素部９０の内側に拡張するように設けられる。スペーサ５０Ｍ，５０ＳＡ，５０ＳＢに起因して生じ得る削り滓は、これらが配される交差部４１Ａ付近の周辺領域に多く分布する傾向にあるが、このような範囲に拡張遮光部４２が拡張形成されることで、削り滓に起因して生じる輝点欠陥を効率的に視認され難くすることができる。本実施形態では、スペーサ５０Ｍ，５０ＳＡ，５０ＳＢを交差部４１Ａに配置しているため、これらに係るスペーサ遮光部のうち画素部間遮光部４１に包含される領域が大きくなる。よって、画素部間遮光部４１の交差部４１Ａ以外の位置にスペーサを設ける構成と比較して、同等の遮光機能を維持しつつも個々の拡張遮光部４２の面積を小さくし、スペーサ５０に臨む画素部９０における開口率の低下を緩和することができる。また本実施形態では、円錐台形状のスペーサ５０Ｍ，５０ＳＡ，５０ＳＢが、画素部間遮光部４１における交差部４１Ａの中心に、その中心を重畳させるように配されているため、同じ交差部４１Ａに連なる４個の拡張遮光部４２は、互いに面積が等しくなるように形成される。本実施形態では、スペーサ５０Ｍ，５０ＳＡ，５０ＳＢを、何れも断面形状が円盤状となるように形成している。これらに係るスペーサ遮光部は、ひと回り大きな同心円の円盤状に形成することが好ましく、各拡張遮光部４２は、交差部４１Ａの中心から最も遠い辺が、当該交差部４１Ａの中心と同心となる円の外形の一部となる円弧状をなしている。
【００４９】
拡張遮光部４２は、各スペーサ５０Ｍ，５０ＳＡ，５０ＳＢに係るスペーサ遮光部のうち、画素部間遮光部４１に包含されない領域を含むように設けられる。既述したように、メインスペーサ５０Ｍの周辺領域を遮光するメインスペーサ遮光部は大きく設ける必要があるのに対し、大サブスペーサ５０ＳＡに係るサブスペーサ遮光部は比較的大きく（中程度の大きさに）、小サブスペーサ５０ＳＢに係るサブスペーサ遮光部は小さく、設けることができる。このため、図３及び図４に表されているように、メインスペーサ５０Ｍに臨む画素部９０、すなわちメインスペーサ５０Ｍの配設位置における画素部間遮光部４１に隣接するメインスペーサ臨接画素部９０Ｍ内には、大きなメインスペーサ用拡張遮光部４２Ｍが設けられる。また、大サブスペーサ５０ＳＡに臨む画素部９０内には、中間的な大きさの大サブスペーサ用拡張遮光部４２ＳＡが、小サブスペーサ５０ＳＢに臨む画素部９０内には、小さな小サブスペーサ用拡張遮光部４２ＳＢが、それぞれ設けられる。なお、以下では、メインスペーサ５０Ｍに臨まない画素部９０を、メインスペーサ非臨接画素部９０Ｎと称することがある。
【００５０】
拡張遮光部４２は、必要に応じて、画像表示品位を維持するためのダミー領域をさらに含むように設けられる。大きなメインスペーサ用拡張遮光部４２Ｍが形成されたメインスペーサ臨接画素部９０Ｍと、メインスペーサ用拡張遮光部４２Ｍが形成されないメインスペーサ非臨接画素部９０Ｎとの間で、開口率に大きな差があると、局所的に大幅な輝度低下が生じて表示画面上で模様のように視認されてしまう。こうした画像表示品位の低下を抑制するには、サブスペーサ用拡張遮光部４２ＳＡ，４２ＳＢを、サブスペーサ５０ＳＡ，５０ＳＢ周辺の遮光に必要な領域に加えてダミー領域を含むように、大きく形成することが有効な場合がある。このようにすれば、メインスペーサ臨接画素部９０Ｍとメインスペーサ非臨接画素部９０Ｎとの間の開口率の差を縮小し、局所的な輝度ムラや色ムラを低減して、画面上で視認され難くすることができるからである。一方で、このように、サブスペーサ用拡張遮光部４２ＳＡ，４２ＳＢを、ダミー領域を含むように大きく設定すると、液晶パネル１０全体の開口率が低下して、表示画面全体の輝度低下を招いてしまう。そこで、本実施形態では、サブスペーサ用拡張遮光部４２ＳＡ，４２ＳＢに含まれるダミー領域を極力小さくして開口率の低下を抑制しつつも、メインスペーサ臨接画素部９０Ｍとメインスペーサ非臨接画素部９０Ｎとの開口率差を一定値以下とすることができるように、液晶パネル１０全体におけるメインスペーサ５０Ｍ及び両サブスペーサ５０ＳＡ，５０ＳＢの平面配置を適正化している。
【００５１】
続いて、液晶パネル１０全体におけるメインスペーサ５０Ｍ及び両サブスペーサ５０ＳＡ，５０ＳＢの平面配置について説明する。本実施形態では、図４等に表されているように、表示領域ＡＡ内に配された格子状の画素部間遮光部４１の交差部４１Ａのそれぞれに、１個ずつのスペーサ５０を設けた場合について例示する。スペーサ５０のうちメインスペーサ５０Ｍの配設数は非常に少ないため、本実施形態では、画素部９０の総数に対するサブスペーサ５０ＳＡ，５０ＳＢの配設数の比は、概ね１：１である。また、大サブスペーサ５０ＳＡと小サブスペーサ５０ＳＢの配設数の比は概ね１：２とし、これらのサブスペーサ５０ＳＡ，５０ＳＢをＸ軸方向及びＹ軸方向に沿って一定の順序で配列している。具体的には、Ｘ軸方向に隣り合う交差部４１Ａでは、基本的に大サブスペーサ５０ＳＡ→小サブスペーサ５０ＳＢ→小サブスペーサ５０ＳＢ、の順で繰り返し並ぶように配される。既述したように、各画素部９０は、赤色画素部９０−Ｒ、緑色画素部９０−Ｇ及び青色画素部９０−ＢがＸ軸方向に沿って所定の順で繰り返し並ぶように配されているが、このうち青色画素部９０−Ｂと赤色画素部９０−Ｒとの間に位置する交差部４１Ａに、大サブスペーサ５０ＳＡが配される。一方、Ｙ軸方向に沿って隣り合う交差部４１Ａでは、表示領域ＡＡのほぼ全長にわたって、基本的に大サブスペーサ５０ＳＡもしくは小サブスペーサ５０ＳＢがそれぞれ連なるように配される。既述したように、各画素部９０は、赤色画素部９０−Ｒ、緑色画素部９０−Ｇもしくは青色画素部９０−ＢがＹ軸方向に沿ってそれぞれ連なるように配されている。よって、本実施形態では、図４に表されているように、大サブスペーサ５０ＳＡは全て、青色画素部９０−Ｂの列と赤色画素部９０−Ｒの列との間にある交差部４１Ａに配され、小サブスペーサ５０ＳＢは、緑色画素部９０−Ｇの列と、赤色画素部９０−Ｒもしくは青色画素部９０−Ｂの列との間にある交差部４１Ａに配されることとなる。
【００５２】
本実施形態では、基本的に上記のような一定の順序で配されたサブスペーサ５０ＳＡ，５０ＳＢのうち、大サブスペーサ５０ＳＡの一部を置き換えた位置に、メインスペーサ５０Ｍが配された場合について例示する。よって、大サブスペーサ５０ＳＡと同様にメインスペーサ５０Ｍも、青色画素部９０−Ｂの列と赤色画素部９０−Ｒの列との間にある交差部４１Ａに配される。換言すれば、緑色画素部９０−Ｇに隣接する交差部４１Ａには、小サブスペーサ５０ＳＢのみが配され、メインスペーサ５０Ｍや大サブスペーサ５０ＳＡは配されない。
【００５３】
上記のような配置とした場合、Ｘ軸方向に並んだ１個ずつの赤色画素部９０−Ｒ、緑色画素部９０−Ｇ、青色画素部９０−Ｂが１セットとなって構成される各画素９１に隣接する画素部間遮光部４１には、４個の小サブスペーサ５０ＳＢに加え、４個の大サブスペーサ５０ＳＡ又は３個の大サブスペーサ５０ＳＡ及び１個のメインスペーサ５０Ｍが配されることとなる。すなわち、画素９１のそれぞれについて、当該画素９１に含まれる画素部９０に隣接する画素部間遮光部４１には、メインスペーサ５０Ｍと大サブスペーサ５０ＳＡが、これらの合計配設数が何れも４個となるように設けられる。
【００５４】
既述したように、各スペーサ５０が配設された交差部４１Ａに隣接する画素部９０内には、配設されたスペーサ５０の種類に応じた大きさの拡張遮光部４２が、当該交差部４１Ａから連なるように設けられる。上記のような配置でメインスペーサ５０Ｍ、サブスペーサ５０ＳＡ，５０ＳＢが設けられた本実施形態の構成では、大きなメインスペーサ用拡張遮光部４２Ｍは、メインスペーサ臨接画素部９０Ｍとなる青色画素部９０−Ｂ及び赤色画素部９０−Ｒ内に形成される。また、中間的な大きさの大サブスペーサ用拡張遮光部４２ＳＡも、青色画素部９０−Ｂ及び赤色画素部９０−Ｒ内に形成される。一方で、緑色画素部９０−Ｇ内には、小さな小サブスペーサ用拡張遮光部４２ＳＢのみが形成されることとなる。
【００５５】
［検証実験１］
ここで、スペーサ５０として、メインスペーサ５０Ｍ並びに大サブスペーサ５０ＳＡ及び小サブスペーサ５０ＳＢを上記のように配設したことによる、液晶パネル１０のパネル透過率への影響について知見を得るため、下記のように検証実験１を行った。この検証実験１では、本段落以前に説明した本実施形態１に係るＣＦ基板２０（図４等参照）を備えた液晶パネル１０を実施例１とし、ＣＦ基板２０とは構成の異なるＣＦ基板１２０（図５参照）を備えた液晶パネルを比較例１とする。以下、比較例１に係る液晶パネルについて説明するが、当該液晶パネルは実施形態１の液晶パネル１０と同じ基本構成を有するため、実施形態１と同様の構成については説明を省略し、必要に応じて同じ符号を付す。
【００５６】
図５に示すように、比較例１に係るＣＦ基板１２０には、メインスペーサ５０Ｍ及びサブスペーサ１５０Ｓの２種類からなるスペーサ１５０が設けられており、これらを遮光するために設けられる拡張遮光部１４２は、メインスペーサ用拡張遮光部４２Ｍ及びサブスペーサ用拡張遮光部１４２Ｓの２種類からなる。なお、メインスペーサ５０Ｍ及びメインスペーサ用拡張遮光部４２Ｍは、形状、配設面積及び配設状態等、実施例１及び比較例１に共通であるものとする。すなわち、比較例１に係る液晶パネルでも、メインスペーサ５０Ｍの配設数は非常に少なく、また全てのメインスペーサ５０Ｍが、赤色画素部１９０−Ｒと青色画素部１９０−Ｂとの間に配された交差部１４１Ａに設けられている。
【００５７】
サブスペーサ１５０Ｓは、実施形態１に係るサブスペーサ５０ＳＡ，５０ＳＢと同様に、基底部から突出端に向けて先細りとなる円錐台形状をなし、図５に表されているように、その中心が、格子状に配された画素部間遮光部１４１の交差部１４１Ａの中心と重畳される位置に設けられている。比較例１に係る各スペーサ１５０は、実施例１に係るスペーサ５０と同様に、画素部間遮光部１４１において、Ｘ軸方向延在部分１４１ＸとＹ軸方向延在部分１４１Ｙとが交わる交差部１４１Ａのそれぞれについて１個ずつが設けられている。すなわち、比較例１において、画素部１９０の総数に対する係るサブスペーサ１５０Ｓの配設数は概ね１／１であり、実施形態１に係る液晶パネル１０において大サブスペーサ５０ＳＡもしくは小サブスペーサ５０ＳＢが設けられた全ての位置（メインスペーサ５０Ｍが配設された交差部１４１Ａを除く全ての交差部１４１Ａ）に、サブスペーサ１５０Ｓが配置される。
【００５８】
比較例１において、メインスペーサ５０Ｍに臨むメインスペーサ臨接画素部１９０Ｍは、全て赤色画素部１９０−Ｒもしくは青色画素部１９０−Ｂとなる。緑色画素部１９０−Ｇは全て、メインスペーサ５０Ｍの配設位置における画素部間遮光部４１に臨まないメインスペーサ非臨接画素部１９０Ｎとなる。
【００５９】
図６の表に示すように、実施例１及び比較例１の液晶パネルは、何れもサブスペーサ面積密度、すなわち液晶パネルの板面全体の面積に対するサブスペーサの配設面積の総和の比率が６．４％となるように、スペーサ５０，１５０の寸法形状や配設比率等を調整した。これにより、液晶パネル全体について一定の耐表面押圧力が確保される。具体的には、図６の表に示すように、比較例１に係るサブスペーサ１５０Ｓは基底部の直径が１５．０μｍになるように形成し、実施例１に係る大サブスペーサ５０ＳＡは基底部の直径が２１．０μｍ、小サブスペーサ５０ＳＢは基底部の直径が１１．０μｍとなるように形成した。
【００６０】
さらに、各液晶パネルでは、メインスペーサ非臨接画素部の開口率に対するメインスペーサ臨接画素部の開口率の比（開口率比と称することがある）が９５％以上となるように、サブスペーサ用拡張遮光部を配設した。具体的には、図６の表に示すように、比較例１では、メインスペーサ非臨接画素部１９０Ｎの開口率に対するメインスペーサ臨接画素部１９０Ｍの開口率比を上記値以上とするため、全てのサブスペーサ用拡張遮光部１４２Ｓを、サブスペーサ１５０Ｓの外周からの拡張幅が８．２５μｍとなるように配設した。これに対し、実施例１では、全ての大サブスペーサ用拡張遮光部４２ＳＡ及び小サブスペーサ用拡張遮光部４２ＳＢを、大サブスペーサ５０ＳＡもしくは小サブスペーサ５０ＳＢの外周からの拡張幅が７．００μｍとなるように配設することで、メインスペーサ非臨接画素部９０Ｎの開口率に対するメインスペーサ臨接画素部９０Ｍの開口率比を９５．１％以上とすることができた。なお、メインスペーサ臨接画素部９０Ｍ，１９０Ｍとなる緑色画素部９０−Ｇ，１９０−Ｇはないため、開口率比は、赤色画素部と青色画素部についてのみ算出している。
【００６１】
上記のような実施例１及び比較例１の液晶パネルについて、各色を呈する画素部９０，１９０についての平均開口率を算出するとともに、パネル透過率を測定した。結果を、図６の表に示す。パネル透過率は、各液晶パネルにバックライト装置を付設した液晶表示装置を作製し、当該液晶装置を白表示させて測定した表示領域ＡＡの照度を、バックライト装置単体の照度を１００とするパーセントで表した値である。図６の表には、比較例１のパネル透過率を１００とした場合の実施例１のパネル透過率の相対値も併記している。
【００６２】
図６の表に示されているように、実施例１の液晶パネル１０における赤色画素部９０−Ｒ、緑色画素部９０−Ｇ、青色画素部９０−Ｂについての平均開口率は、比較例１の液晶パネルにおける赤色画素部１９０−Ｒ、緑色画素部１９０−Ｇ、青色画素部１９０−Ｂについての平均開口率と比べて全て高くなった。これは、２種類の大サブスペーサ５０ＳＡと小サブスペーサ５０ＳＢについて、適切なバランスとなるように各々の大きさ（配設面積）を設計し、液晶パネル１０全体において適切なバランスでメインスペーサ臨接画素部９０Ｍ及びメインスペーサ非臨接画素部９０Ｎに臨むように配置したためと考えられる。このようにしたことで、開口率比を９５％以上とするために、比較例１のサブスペーサ用拡張遮光部１４２Ｓでは８．２５μｍ必要であった拡張幅を、実施例１のサブスペーサ用拡張遮光部４２ＳＡ，４２ＳＢでは７．００μｍまで減らし、これらに含まれるダミー領域を抑制することが可能となった。この結果、液晶パネル１０全体における遮光層４０の配設面積を縮小し、各色画素部９０−Ｒ，９０−Ｇ，９０−Ｂについての平均開口率を向上させることができたと考えられる。
【００６３】
また、図６の表に示されているように、比較例１の液晶パネルでは、赤色画素部１９０−Ｒ、緑色画素部１９０−Ｇ、青色画素部１９０−Ｂについて算出される平均開口率は、ほぼ等しくなる。これは、何れの画素部１９０に隣接する交差部１４１Ａにも、基本的に同じサブスペーサ１５０Ｓが配設されており、赤色画素部１９０−Ｒと青色画素部１９０−Ｂに隣接する交差部４１Ａに選択的に配置されるメインスペーサ５０Ｍの配設数は、画素部の総数に対して非常に小さいことによる。これに対し、実施例１では、緑色画素部９０−Ｇについての平均開口率が、赤色画素部９０−Ｒ及び青色画素部９０−Ｂについての平均開口率よりも大きくなる。これは、配設面積が異なる２種類のサブスペーサ５０ＳＡ，５０ＳＢのうち、配設面積が大きく大きなスペーサ遮光部を要する大サブスペーサ５０ＳＡを、緑色画素部９０−Ｇに隣接する交差部４１Ａには非配置としたことによる。赤色画素部９０−Ｒ及び青色画素部９０−Ｂ内には、大きなメインスペーサ用拡張遮光部４２Ｍや大サブスペーサ用拡張遮光部４２ＳＡが形成されるのに対し、緑色画素部９０−Ｇ内に形成される拡張遮光部４２は、全て小さな小サブスペーサ用拡張遮光部４２ＳＢとなるからである。ここで、既述したように、緑色画素部９０−Ｇは、赤色画素部９０−Ｒ及び青色画素部９０−Ｂと比較して、パネル透過率への寄与度が大きい。よって、緑色画素部９０−Ｇの開口率がアップした実施例１の液晶パネル１０では、パネル透過率が効果的に向上し、比較例１の液晶パネルと比較して約３．９％の向上効果が得られた。
【００６４】
以上説明したように、本実施形態１に係る液晶パネル及びこれを備える液晶表示装置は、下記（１−１）から（１−１１）に記載の構成を有する。
【００６５】
（１−１）  本実施形態１に係る液晶パネル１０は、セルギャップ（所定の基板間隔）Ｇを空けて互いに対向配置された一対の基板２０，３０と、一対の基板２０，３０の板面内に行列状に並ぶように配され、緑色（特定色の一例）を呈する緑色画素部（第１画素部の一例）９０−Ｇ及び赤色を呈する赤色画素部（第２画素部の一例）９０−Ｒを少なくとも含む画素部９０からなる複数の画素９１と、隣り合う画素部９０の間を仕切るように、ＣＦ基板（一対の基板のうち少なくとも一方の基板）２０に設けられた画素部間遮光部４１と、一対の基板２０，３０の間に介在し、平面に視て（一対の基板２０，３０の法線方向から視て）画素部間遮光部４１と重畳する位置に配されたスペーサ５０と、画素部間遮光部４１から画素部９０の内側に拡張するように設けられ、スペーサ５０の周辺領域を遮光する拡張遮光部４２と、を備え、スペーサ５０は、自然状態において一対の基板２０，３０の双方に接するように介在して、セルギャップＧを規定するメインスペーサ（第１スペーサの一例）５０Ｍと、ＣＦ基板２０に、アレイ基板（他方の基板）３０に向けてセルギャップＧよりも小さい突出長ＰＳを有して突出するように設けられた大サブスペーサ（第２スペーサの一例）５０ＳＡと、ＣＦ基板２０に、アレイ基板３０に向けてセルギャップＧよりも小さい突出長ＰＳを有して突出し、平面視したときの配設面積が大サブスペーサ５０ＳＡよりも小さくなるように設けられた小サブスペーサ（第３スペーサの一例）５０ＳＢと、を含む。
【００６６】
上記構成の液晶パネル１０では、少なくとも緑色画素部９０−Ｇ及び赤色画素部９０−Ｒを含む画素部９０からなる複数の画素９１によって所定の画像が表示され、画素部間遮光部４１によって隣り合う画素部９０間の混色等が抑制される。上記構成によれば、液晶パネル１０において、セルギャップＧを維持するためのメインスペーサ５０Ｍとは別に、耐表面押圧力を担うサブスペーサとして、基板２０，３０の法線方向から視た配設面積が異なる少なくとも大小２種類のスペーサ（大サブスペーサ５０ＳＡ及び小サブスペーサ５０ＳＢ）が設けられる。なお、上記において「自然状態」とは、液晶パネル１０に対して一時的な外力が働いていない状態、すなわち常態をいう。また、「配設面積」とは、一対の基板２０，３０の法線方向から視たときに、当該構造物が配設された領域の輪郭線で囲まれる面積をいう。本実施形態に係るスペーサの配設面積は、ＣＦ基板２０に突設された各スペーサ５０の基底部の面積を意味する。大サブスペーサ５０ＳＡと小サブスペーサ５０ＳＢは、配設面積が異なるために、これらについて必要とされるスペーサ遮光領域も異なる。よって、これらを組み合わせて、メインスペーサ５０Ｍの配置とのバランスや、画素部間遮光部４１の形状等に合わせて適正に配置すれば、画像表示品位を維持し、サブスペーサ配設面積の総計を一定値以上として液晶パネル１０に要求される耐表面押圧力を確保しながら、拡張遮光部４２の配設面積を抑制して画素部９０の開口率を高め、輝度低下を抑制することができる。例えば、画像表示品位を維持するため、サブスペーサ用拡張遮光部４２ＳＡ，４２ＳＢは、スペーサ遮光領域に加えて、各画素部９０における開口率差を小さくするためのダミー領域を含むように形成されることがある。大サブスペーサ５０ＳＡと小サブスペーサ５０ＳＢを、各画素部９０にバランスよく配置すれば、開口率差を所定値以下に保つために必要なダミー領域を減らしてサブスペーサ用拡張遮光部４２ＳＡ，４２ＳＢを小さく維持し、開口率の低下を全体的に抑制することが可能となる。
【００６７】
（１−２）  また、本実施形態に係る液晶パネル１０において、メインスペーサ５０Ｍは、平面に視て画素部９０に対し所定の相対的配置をなすように配されており、大サブスペーサ５０ＳＡは複数設けられ、平面に視て画素部９０に対し前記所定の相対的配置をなすように配されたものを含む。メインスペーサ臨接画素部９０Ｍにおける開口率の低下を視認され難くするためには、各色を呈する画素部９０に対してメインスペーサ用拡張遮光部４２Ｍと同じ相対的配置をなす位置にダミーの拡張遮光部等を設けることが有効である。上記構成によれば、特定色を呈する画素部９０に対する相対的配置が、メインスペーサ５０Ｍと同様となるように、比較的大きな大サブスペーサ用拡張遮光部４２ＳＡを要する大サブスペーサ５０ＳＡを配することで、メインスペーサ臨接画素部９０Ｍにおける局所的な輝度低下が視認され難くなり、拡張遮光部に含まれるダミー領域を減らしながら画像表示品位の低下を抑制することが可能となる。換言すれば、画素部９０に対する相対的配置がメインスペーサ５０Ｍと同じとなる位置に大サブスペーサ５０ＳＡを配することで、大サブスペーサ用拡張遮光部４２ＳＡを、メインスペーサ臨接画素部９０Ｍとの開口率差をなくすための拡張遮光部としても機能させることができると言える。
【００６８】
（１−３）  また、本実施形態に係る液晶パネル１０において、複数の大サブスペーサ５０ＳＡのうち過半数が、平面に視て前記画素部に対し前記所定の相対的配置をなすように配されている。このような構成によれば、メインスペーサ５０Ｍが、例えば一定の分布頻度で多数が配設される大サブスペーサ５０ＳＡに紛れるように配されることで、メインスペーサ臨接画素部９０Ｍにおける局所的な輝度低下を一層視認され難くすることができる。
【００６９】
（１−４）  また、本実施形態に係る液晶パネル１０において、画素部９０は、Ｘ軸方向（行方向）及びＹ軸方向（列方向）について少なくとも２個ずつが並んで配され、画素部間遮光部４１は、格子状をなすように設けられており、スペーサ５０のうち、少なくともメインスペーサ５０Ｍ及び大サブスペーサ５０ＳＡは、画素部間遮光部４１の交差部４１Ａに設けられ、メインスペーサ５０Ｍ及び大サブスペーサ５０ＳＡについてのメインスペーサ用拡張遮光部４２Ｍ及び大サブスペーサ用拡張遮光部４２ＳＡは、交差部４１Ａに隣接する４個の画素部９０の内側に拡張するように設けられている。このような構成によれば、比較的大きなスペーサ遮光部を要するメインスペーサ５０Ｍ及び大サブスペーサ５０ＳＡが、格子状に形成された画素部間遮光部４１の交差部４１Ａに形成されることで、これらのスペーサ遮光部のうち画素部間遮光部４１に包含される領域が大きくなり、拡張遮光部４２の配設領域を抑制できる。よって、交差部４１Ａ以外の位置にこれらのスペーサが設けられる構成と同等の遮光機能を維持しながら個々の拡張遮光部４２の面積を小さくし、拡張遮光部４２が配置される画素部９０における開口率の低下を抑制することができる。特に、同じ交差部４１Ａに連なる４個の拡張遮光部４２を、互いに面積が等しくなるように形成すれば、各画素部９０における開口率のばらつきを抑制して、高い画像表示品位を発現させることが可能となる。
【００７０】
（１−５）  また、本実施形態に係る液晶パネル１０において、小サブスペーサ５０ＳＢの配設数は、大サブスペーサ５０ＳＡの配設数よりも多いものとされている。小サブスペーサ５０ＳＢは、大サブスペーサ５０ＳＡと比べて配設面積が小さいため、画像表示品位を維持するために必要となるスペーサ遮光部が、大サブスペーサ５０ＳＡよりも小さい。このような構成によれば、画素部間遮光部４１のうち、比較的大きな面積を確保可能であったり、画像表示品位を確保する観点からこれに隣接する画素部９０の開口率を低下させることが好ましかったりする位置に大サブスペーサ５０ＳＡを配し、それ以外の位置の画素部間遮光部４１に小サブスペーサ５０ＳＢを多数配置することで、画像表示品位及び耐表面押圧力を維持しつつ、拡張遮光部４２の配設面積を抑制して液晶パネル１０の開口率を高めることができる。
【００７１】
（１−６）  また、本実施形態に係る液晶パネル１０において、画素部９０は、Ｘ軸方向について緑色画素部９０−Ｇと赤色画素部９０−Ｒとが一定の順序で繰り返し並ぶとともに、列方向については緑色画素部９０−Ｇもしくは赤色画素部９０−Ｒのそれぞれが繰り返し並んで配されており、大サブスペーサ５０ＳＡ及び小サブスペーサ５０ＳＢは、画素部９０に対するＸ軸方向及びＹ軸方向についての配置が一定となって格子状に並ぶように配されている。このような構成によれば、比較的大きな大サブスペーサ用拡張遮光部４２ＳＡを要する大サブスペーサ５０ＳＡが、液晶パネル１０内に一定の分布頻度で分布することで、拡張遮光部４２が液晶パネル１０において分散配置される。これにより、画像表示品位を維持するとともに、液晶パネル１０全体について安定した耐表面押圧力を確保できる。
【００７２】
（１−７）  また、本実施形態に係る液晶パネル１０において、メインスペーサ５０Ｍは、上記のように配置された大サブスペーサ５０ＳＡの一部を置き換えた位置に配されている。このような構成によれば、大きなメインスペーサ用拡張遮光部４２Ｍを要するメインスペーサ５０Ｍが、比較的大きな大サブスペーサ用拡張遮光部４２ＳＡを要する大サブスペーサ５０ＳＡと特定色を呈する画素部９０との相対的な配置が同じとなる位置に配されることで、メインスペーサ臨接画素部９０Ｍにおける局所的な輝度低下が視認され難くなる。
【００７３】
（１−８）  また、本実施形態に係る液晶パネル１０において、画素９１のそれぞれについて、当該画素９１に含まれる画素部９０に隣接する画素部間遮光部４１には、メインスペーサ５０Ｍ及び大サブスペーサ５０ＳＡが、これらの合計配設数が一定（４個）となるように設けられている。このような構成によれば、それぞれの画素９１に含まれる画素部９０に隣接する画素部間遮光部４１において、比較的大きなスペーサ遮光部を要するメインスペーサ５０Ｍ及び大サブスペーサ５０ＳＡの配設数が一定となることで、各画素９１の開口率が略同等となり、色ムラや輝度ムラを抑制して、高い画像表示品位を維持することができる。
【００７４】
（１−９）  また、本実施形態に係る液晶パネル１０において、画素部９０は、緑色画素部９０−Ｇ及び赤色画素部９０−Ｒとは異なる色を呈する青色画素部（第３画素部の一例）９０−Ｂをさらに含み、緑色画素部９０−Ｇは、赤色画素部９０−Ｒ及び青色画素部９０−Ｂと比較して、パネル透過率への寄与度が高く、メインスペーサ５０Ｍは、赤色画素部９０−Ｒもしくは青色画素部９０−Ｂに隣接する画素部間遮光部４１に配されている。このような構成によれば、メインスペーサ５０Ｍを、赤色画素部９０−Ｒもしくは青色画素部９０−Ｂに臨む位置に配することで、緑色画素部９０−Ｇに臨む位置へのメインスペーサ５０Ｍの配設数が抑制される。これにより、パネル透過率への寄与度が比較的高い緑色画素部９０−Ｇに設けられる拡張遮光部４２を抑制し、緑色画素部９０−Ｇにおける開口率低下を抑制してパネル透過率を高く維持することが可能となる。なお、本実施形態では、メインスペーサ５０Ｍは緑色画素部９０−Ｇに隣接する画素部間遮光部４１には非配置とされており、緑色画素部９０−Ｇの開口率を高く維持することでパネル透過率の低下が効果的に抑制される観点から好ましい。
【００７５】
（１−１０）  また、本実施形態に係る液晶パネル１０において、大サブスペーサ５０ＳＡは、赤色画素部９０−Ｒもしくは青色画素部９０−Ｂに隣接する画素部間遮光部４１に配されている。このような構成によれば大サブスペーサ５０ＳＡを赤色画素部９０−Ｒもしくは青色画素部９０−Ｂに臨む位置に配することで、緑色画素部９０−Ｇに臨む位置における大サブスペーサ５０ＳＡの配設数を抑制できる。これにより、パネル透過率への寄与度が比較的高い緑色画素部９０−Ｇに設けられる拡張遮光部４２を抑制し、緑色画素部９０−Ｇにおける開口率低下を抑制してパネル透過率を高く維持することが可能となる。なお、本実施形態では、大サブスペーサ５０ＳＡは緑色画素部９０−Ｇに隣接する画素部間遮光部４１には非配置とされており、緑色画素部９０−Ｇの開口率を高く維持することでパネル透過率の低下が効果的に抑制される観点から好ましい。
【００７６】
（１−１１）  また、本実施形態に係る液晶表示装置１は、上記の何れかに記載の液晶パネル１０を備える。このような構成によれば、画像表示品位及び耐表面押圧力に優れた高輝度の表示装置を得ることができる。
【００７７】
＜実施形態２＞
実施形態２を、図７及び図８によって説明する。本実施形態２では、大サブスペーサ２５０ＳＡ及び小サブスペーサ２５０ＳＢの配置を変え、これに合わせて大サブスペーサ用拡張遮光部２４２ＳＡ及び小サブスペーサ用拡張遮光部２４２ＳＢを配置した液晶パネルを例示する。実施形態２に係る液晶パネルは、実施形態１と同様の基本構成を有するため、実施形態１と同様の構成については説明を省略し、必要に応じて同じ符号を付す。（実施形態３以下についても同様とする）。
【００７８】
図７に示すように、本実施形態に係るＣＦ基板２２０では、大サブスペーサ２５０ＳＡを含む行が１行おきに設けられる構成とされており、大サブスペーサ２５０ＳＡと小サブスペーサ２５０ＳＢの配設数の比は、概ね１：５である。基本的に、Ｘ軸方向には、小サブスペーサ２５０ＳＢのみが並ぶ行の間に、大サブスペーサ２５０ＳＡ→小サブスペーサ２５０ＳＢ→小サブスペーサ２５０ＳＢの順で繰り返し並ぶ行が交互に（１行おきに）配される。Ｙ軸方向には、小サブスペーサ２５０ＳＢのみが並ぶ列の中に、大サブスペーサ２５０ＳＡと小サブスペーサ２５０ＳＢが交互に並んだ列が２列おきに配される。赤色画素部２９０−Ｒ、緑色画素部２９０−Ｇ及び青色画素部２９０−Ｂを含む各画素部２９０の配置は、実施形態１の各画素部９０の配置と同様であり、大サブスペーサ２５０ＳＡを含む列は全て、赤色画素部２９０−Ｒと青色画素部２９０−Ｂとの間の交差部２４１Ａに配される。緑色画素部２９０−Ｇに隣接する全ての交差部２４１Ａには、小サブスペーサ２５０ＳＢが配される。
【００７９】
本実施形態に係るメインスペーサ５０Ｍは、基本的に上記のような一定の順序で配されたサブスペーサ２５０ＳＡ，２５０ＳＢのうち、大サブスペーサ２５０ＳＡを置き換えた位置に配される。本実施形態に係る液晶パネルでも、実施形態１と同様、メインスペーサ５０Ｍの配設数は非常に少なく、全てのメインスペーサ５０Ｍが、赤色画素部２９０−Ｒと青色画素部２９０−Ｂとの間に配された交差部２４１Ａに設けられる。また、Ｘ軸方向に並んだ１個ずつの赤色画素部２９０−Ｒ、緑色画素部２９０−Ｇ、青色画素部２９０−Ｂが１セットとなって構成される各画素２９１について、これに含まれる画素部２９０に隣接する画素部間遮光部２４１には、メインスペーサ５０Ｍと大サブスペーサ２５０ＳＡが、これらの合計配設数が何れも２個となるように設けられている。ただし、実施形態１では、メインスペーサ５０Ｍが列方向について大サブスペーサ５０ＳＡと隣り合っていたのとは異なり、本実施形態では、メインスペーサ５０Ｍに隣り合うスペーサ２５０は、行方向及び列方向のみならず斜め方向も含め全て小サブスペーサ２５０ＳＢとなる。
【００８０】
上記のような配置でメインスペーサ５０Ｍ、サブスペーサ２５０ＳＡ，２５０ＳＢが設けられた本実施形態の構成では、大きなメインスペーサ用拡張遮光部４２Ｍは、メインスペーサ臨接画素部２９０Ｍとなる青色画素部２９０−Ｂ及び赤色画素部２９０−Ｒ内に設けられる。また、中間的な大きさの大サブスペーサ用拡張遮光部２４２ＳＡも、青色画素部２９０−Ｂ及び赤色画素部２９０−Ｒ内に設けられる。一方で、緑色画素部２９０−Ｇ内には、小さな小サブスペーサ用拡張遮光部２４２ＳＢのみが設けられる。本実施形態では、実施形態１とは異なり、メインスペーサ臨接画素部２９０Ｍ内に、大サブスペーサ用拡張遮光部２４２ＳＡが形成されることはない。各メインスペーサ臨接画素部２９０Ｍ内には、メインスペーサ用拡張遮光部４２Ｍのほかは、小サブスペーサ用拡張遮光部２４２ＳＢのみが形成される。
【００８１】
［検証実験２］
メインスペーサ５０Ｍ並びに大サブスペーサ２５０ＳＡ及び小サブスペーサ２５０ＳＢを上記のように配設したことによる、パネル透過率への影響について知見を得るため、下記のように検証実験２を行った。この検証実験２では、本実施形態２に係るＣＦ基板２２０（図７等参照）を備えた液晶パネルを実施例２とする。比較例１は、検証実験１で用いたのと同様の液晶パネルである。
【００８２】
図８の表に示すように、実施例２の液晶パネルも、比較例１と同じく、サブスペーサ面積密度が６．４％となるように、スペーサ２５０の寸法形状や配設比率等を調整した。これにより、実施例２の液晶パネルについても、一定の耐表面押圧力が確保される。具体的には、比較例１に係るサブスペーサ１５０Ｓは基底部の直径が１５．０μｍになるように形成したのに対し、実施例２に係る大サブスペーサ２５０ＳＡは基底部の直径が２１．０μｍ、小サブスペーサ２５０ＳＢは基底部の直径が１３．５μｍとなるように形成した。なお、実施例１の液晶パネルと比較すると、大サブスペーサ２５０ＳＡの配設数が減少しているため、小サブスペーサ２５０ＳＢは配設面積が若干大きくなるように形成した。
【００８３】
さらに、実施例２の液晶パネルでも、メインスペーサ非臨接画素部２９０Ｎの開口率に対するメインスペーサ臨接画素部２９０Ｍの開口率比が９５％以上となるように、サブスペーサ用拡張遮光部２４２ＳＡ，２４２ＳＢを配設した。具体的には、図８の表に示すように、全ての大サブスペーサ用拡張遮光部２４２ＳＡ及び小サブスペーサ用拡張遮光部２４２ＳＢを、大サブスペーサ２５０ＳＡもしくは小サブスペーサ２５０ＳＢの外周からの拡張幅が６．７５μｍとなるように配設することで、開口率比を９５．３％以上とすることができた。なお、検証実験１について既述したように、比較例１の液晶パネルでは、サブスペーサ用拡張遮光部１４２Ｓを、サブスペーサ１５０Ｓ外周からの拡張幅が８．２５μｍとなるように配設している。
【００８４】
上記のような実施例２及び比較例１の液晶パネルについて、各色を呈する画素部２９０，１９０についての平均開口率を算出するとともに、パネル透過率を測定した。結果を、図８の表に示す。パネル透過率は、各液晶パネルにバックライト装置を付設した液晶表示装置を作製し、当該液晶装置を白表示させて測定した画像表示領域の照度を、バックライト装置単体の照度を１００とするパーセントで表した値である。図８の表には、比較例１のパネル透過率を１００とした場合の実施例２のパネル透過率の相対値も併記している。
【００８５】
図８の表に示されているように、実施例２では、各色画素部２９０−Ｒ，２９０−Ｇ，２９０−Ｂについての平均開口率は、比較例１の液晶パネルにおける各色画素部１９０−Ｒ，１９０−Ｇ，１９０−Ｂについての平均開口率よりも全て高くなった。２種類の大サブスペーサ２５０ＳＡと小サブスペーサ２５０ＳＢについて、適切なバランスとなるように各々の大きさを設計し、液晶パネル全体において適切なバランスでメインスペーサ臨接画素部２９０Ｍ及びメインスペーサ非臨接画素部２９０Ｎに臨むように配置したためと考えられる。このようにしたことで、開口率比を９５％以上とするために、比較例１のサブスペーサ用拡張遮光部１４２Ｓでは８．２５μｍ必要であった拡張幅を、実施例２のサブスペーサ用拡張遮光部２４２ＳＡ，２４２ＳＢでは６．７５μｍまで減らし、これらに含まれるダミー領域を抑制することが可能となった。この結果、液晶パネル全体における遮光層の配設面積を縮小し、各色画素部２９０−Ｒ，２９０−Ｇ，２９０−Ｂについての平均開口率を向上させることができたと考えられる。
【００８６】
また、図８の表に示されているように、比較例１では、赤色画素部１９０−Ｒ、緑色画素部１９０−Ｇ、青色画素部１９０−Ｂについて算出される平均開口率がほぼ等しいのに対し、実施例２では、緑色画素部２９０−Ｇについての平均開口率が、赤色画素部２９０−Ｒ及び青色画素部２９０−Ｂについての平均開口率よりも大きくなった。これは、配設面積が大きい大サブスペーサ２５０ＳＡを、赤色画素部２９０−Ｒもしくは青色画素部２９０−Ｂに隣接する交差部２４１Ａに配して、緑色画素部２９０−Ｇに隣接する交差部２４１Ａには非配置としたことによる。赤色画素部２９０−Ｒ及び青色画素部２９０−Ｂ内には、大きなメインスペーサ用拡張遮光部４２Ｍや、大サブスペーサ用拡張遮光部２４２ＳＡが形成されるのに対し、緑色画素部２９０−Ｇ内に形成される拡張遮光部２４２は、全て小さな小サブスペーサ用拡張遮光部２４２ＳＢとなるからである。ここで、既述したように、緑色画素部２９０−Ｇは、赤色画素部２９０−Ｒ及び青色画素部２９０−Ｂと比較して、パネル透過率への寄与度が大きい。よって、緑色画素部２９０−Ｇの開口率がアップした実施例２の液晶パネルでは、パネル透過率が効果的に向上し、比較例１の液晶パネルと比較して約３．９％の向上効果が得られた。
【００８７】
以上説明したように、本実施形態２に係る液晶パネル及びこれを備える液晶表示装置は、実施形態１に記載した（１−１）から（１−１１）と同様の構成を有し、既述したのと同様の作用効果を奏するのに加え、下記（２−１）の構成を有する。
【００８８】
（２−１）  本実施形態２に係る液晶パネルにおいて、メインスペーサ臨接画素部２９０Ｍに隣接する画素部間遮光部２４１には、大サブスペーサ２５０ＳＡは設けられていない。このような構成によれば、大きなメインスペーサ用拡張遮光部４２Ｍが形成されるために開口率の低下が避けられないメインスペーサ臨接画素部２９０Ｍ内に、比較的大きな大サブスペーサ用拡張遮光部２４２ＳＡは設けられないこととなり、メインスペーサ臨接画素部２９０Ｍに設けられる拡張遮光部２４２を縮小し、当該メインスペーサ臨接画素部２９０Ｍの開口率の低下を抑制できる。この結果、サブスペーサ用拡張遮光部２４２ＳＡ，２４２ＳＢに含まれるダミー領域を抑制しながらメインスペーサ非臨接画素部２９０Ｎに対するメインスペーサ臨接画素部２９０Ｍの開口率比を高く維持し、メインスペーサ臨接画素部２９０Ｍにおける局所的な輝度低下を抑制して、優れた画像表示品位を確保することができる。
【００８９】
＜実施形態３＞
実施形態３を、図９及び図１０によって説明する。本実施形態３でも、大サブスペーサ３５０ＳＡ及び小サブスペーサ３５０ＳＢの配置を変え、これに合わせて大サブスペーサ用拡張遮光部３４２ＳＡ及び小サブスペーサ用拡張遮光部３４２ＳＢを配置した液晶パネルを例示する。
【００９０】
図９に示すように、本実施形態に係るＣＦ基板３２０では、基本的に、Ｘ軸方向に大サブスペーサ３５０ＳＡのみが並ぶ行と、小サブスペーサ３５０ＳＢのみが並ぶ行とが交互に配される構成とされており、大サブスペーサ３５０ＳＡと小サブスペーサ３５０ＳＢの配設数の比は、概ね１：１である。Ｙ軸方向には、何れの列でも大サブスペーサ３５０ＳＡと小サブスペーサ３５０ＳＢが交互に並んで配される。赤色画素部３９０−Ｒ、緑色画素部３９０−Ｇ、青色画素部３９０−Ｂの配置は、実施形態１の各画素部９０の配置と同様であり、大サブスペーサ３５０ＳＡ及び小サブスペーサ３５０ＳＢは、各色の画素部３９０に対する相対的な配置が略同等となるように配される。
【００９１】
本実施形態に係るメインスペーサ５０Ｍは、基本的に上記のような一定の順序で配されたサブスペーサ３５０ＳＡ，３５０ＳＢのうち、大サブスペーサ３５０ＳＡを置き換えた位置に配される。本実施形態に係る液晶パネルでも、実施形態１と同様、メインスペーサ５０Ｍの配設数は非常に少なく、全てのメインスペーサ５０Ｍを、赤色画素部３９０−Ｒと青色画素部３９０−Ｂとの間に配された交差部３４１Ａに設けることが好ましい。さらに、メインスペーサ５０Ｍと隣り合うスペーサ３５０が全て小サブスペーサ３５０ＳＢとなるように、大サブスペーサ３５０ＳＡを小サブスペーサ３５０ＳＢで置き換える。
【００９２】
上記のような配置でメインスペーサ５０Ｍと、サブスペーサ３５０ＳＡ，３５０ＳＢが設けられた本実施形態の構成では、大きなメインスペーサ用拡張遮光部４２Ｍは、メインスペーサ臨接画素部３９０Ｍとなる青色画素部３９０−Ｂ及び赤色画素部３９０−Ｒ内に設けられる。このように、メインスペーサ用拡張遮光部４２Ｍが設けられたメインスペーサ臨接画素部３９０Ｍに隣接する画素部間遮光部３４１には、比較的大きな大サブスペーサ用拡張遮光部３４２ＳＡを要する大サブスペーサ３５０ＳＡは配されておらず、メインスペーサ用拡張遮光部４２Ｍのほかには、小さな小サブスペーサ用拡張遮光部４２ＳＢのみが形成される。
【００９３】
［検証実験３］
メインスペーサ５０Ｍ並びに大サブスペーサ３５０ＳＡ及び小サブスペーサ３５０ＳＢを上記のように配設したことによる、パネル透過率への影響について知見を得るため、下記のように検証実験３を行った。この検証実験３では、本実施形態３に係るＣＦ基板３２０（図９等参照）を備えた液晶パネルを実施例３とする。比較例１は、検証実験１で用いたのと同様の液晶パネルである。
【００９４】
図１０の表に示すように、実施例３の液晶パネルも、比較例１と同じく、サブスペーサ面積密度が６．４％となるように、スペーサ３５０の寸法形状や配設比率等を調整した。これにより、実施例３の液晶パネルについても、一定の耐表面押圧力が確保される。具体的には、比較例１に係るサブスペーサ１５０Ｓは基底部の直径が１５．０μｍになるように形成したのに対し、実施例３に係る大サブスペーサ２５０ＳＡは基底部の直径が１８．０μｍ、小サブスペーサ２５０ＳＢは基底部の直径が１１．０μｍとなるように形成した。なお、実施例１の液晶パネルと比較すると、大サブスペーサ３５０ＳＡの配設数が増加しているため、大サブスペーサ３５０ＳＡは配設面積が若干小さくなるように形成した。
【００９５】
さらに、実施例３の液晶パネルも、メインスペーサ非臨接画素部３９０Ｎの開口率に対するメインスペーサ臨接画素部３９０Ｍの開口率比が９５％以上となるように、サブスペーサ用拡張遮光部３４２ＳＡ，３４２ＳＢを配設した。具体的には、図１０の表に示すように、全ての大サブスペーサ用拡張遮光部３４２ＳＡ及び小サブスペーサ用拡張遮光部３４２ＳＢを、大サブスペーサ３５０ＳＡもしくは小サブスペーサ３５０ＳＢの外周からの拡張幅が６．５０μｍとなるように配設することで、開口率比を９５．１％以上とすることができた。なお、検証実験１について既述したように、比較例１の液晶パネルでは、サブスペーサ用拡張遮光部１４２Ｓを、サブスペーサ１５０Ｓ外周からの拡張幅が８．２５μｍとなるように配設している。
【００９６】
上記のような実施例３及び比較例１の液晶パネルについて、各色を呈する画素部３９０，１９０についての平均開口率を算出するとともに、パネル透過率を測定した。結果を、図１０の表に示す。パネル透過率は、各液晶パネルにバックライト装置を付設した液晶表示装置を作製し、当該液晶装置を白表示させて測定した画像表示領域の照度を、バックライト装置単体の照度を１００とするパーセントで表した値である。図１０の表には、比較例１のパネル透過率を１００とした場合の実施例３のパネル透過率の相対値も併記している。
【００９７】
図１０の表に示されているように、実施例３では、各色画素部３９０−Ｒ，３９０−Ｇ，３９０Ｂについて算出される平均開口率は比較例１と同様にほぼ等しくなるが、各画素部３９０の開口率が比較例１よりも全体的に向上する。これは、大きさ（配設面積）が異なる大サブスペーサ３５０ＳＡと小サブスペーサ３５０ＳＢについて、適正なバランスとなるように大きさを設計し、液晶パネル全体において適切なバランスでメインスペーサ臨接画素部３９０Ｍ及びメインスペーサ非臨接画素部３９０Ｎに臨むように配置したためと考えられる。このようにしたことで、開口率比を９５％以上とするために、比較例１のサブスペーサ用拡張遮光部１４２Ｓでは８．２５μｍ必要であった拡張幅を、実施例３のサブスペーサ用拡張遮光部３４２ＳＡ，３４２ＳＢでは６．５０μｍまで減らし、これらに含まれるダミー領域を抑制することが可能となった。なお、本実施例３のように拡張幅を６．５０μｍとした場合、サブスペーサ用拡張遮光部には、開口率比を調整するためのダミー領域が殆ど含まれていないと考えてよい。この結果、液晶パネル全体における遮光層の配設面積を縮小し、各色画素部３９０−Ｒ，３９０−Ｇ，３９０Ｂについての平均開口率を全体的に向上させることができたと考えられる。実施例３の液晶パネルでは、比較例１の液晶パネルと比較して、パネル透過率を約３．６％向上させることができた。
【００９８】
以上説明したように、本実施形態３に係る液晶パネル及びこれを備える液晶表示装置は、実施形態１に記載した（１−１）から（１−４）、（１−６）から（１−９）、（１−１１）と同様の構成を有し、これらについて既述したのと同様の作用効果を奏するのに加え、下記（３−１）の構成を有する。
【００９９】
（３−１）  本実施形態３に係る液晶パネルにおいて、メインスペーサ臨接画素部３９０Ｍに隣接する画素部間遮光部３４１には、大サブスペーサ３５０ＳＡは設けられていない。このような構成によれば、大きなメインスペーサ用拡張遮光部４２Ｍが形成されるために開口率の低下が避けられないメインスペーサ臨接画素部３９０Ｍに、比較的大きな大サブスペーサ用拡張遮光部を要する大サブスペーサ３５０ＳＡが設けられないことにより、メインスペーサ臨接画素部３９０Ｍに設けられる拡張遮光部３４２を抑制し、当該メインスペーサ臨接画素部３９０Ｍの開口率の低下を抑制できる。この結果、サブスペーサ用拡張遮光部３４２ＳＡ，３４２ＳＢに含まれるダミー領域を抑制しながらメインスペーサ非臨接画素部３９０Ｎに対するメインスペーサ臨接画素部３９０Ｍの開口率比を高く維持し、メインスペーサ臨接画素部３９０Ｍにおける局所的な輝度低下を抑制して、優れた画像表示品位を確保することができる。
【０１００】
＜実施形態４＞
実施形態４を、図１１及び図１２によって説明する。本実施形態４でも、大サブスペーサ４５０ＳＡ及び小サブスペーサ４５０ＳＢの配置を変え、これに合わせて大サブスペーサ用拡張遮光部４４２ＳＡ及び小サブスペーサ用拡張遮光部４４２ＳＢを配置した液晶パネルを例示する。
【０１０１】
図１１に示すように、本実施形態に係るＣＦ基板４２０では、基本的に、Ｘ軸方向及びＹ軸方向について、大サブスペーサ４５０ＳＡと小サブスペーサ４５０ＳＢとが千鳥状に並んで配された構成とされており、大サブスペーサ４５０ＳＡと小サブスペーサ４５０ＳＢの配設数の比は、概ね１：１である。大サブスペーサ４５０ＳＡと小サブスペーサ４５０ＳＢは、Ｘ軸方向及びＹ軸方向に、何れも１個ずつが交互に並んで配される。このため、小サブスペーサが連続して並ぶように配された液晶パネルと比較すると、局所的な表面押圧力に対する強度が一様に高くなる。赤色画素部４９０−Ｒ、緑色画素部４９０−Ｇ、青色画素部４９０−Ｂの配置は、実施形態１の各画素部９０の配置と同様であり、大サブスペーサ４５０ＳＡ及び小サブスペーサ４５０ＳＢは、各色の画素部４９０に対する相対的な配置が略同等となるように配される。
【０１０２】
メインスペーサ５０Ｍは、本実施形態に係る液晶パネルでも、実施形態１と同様に配設数が少なく、基本的に上記のような一定の順序で配されたサブスペーサ４５０ＳＡ，４５０ＳＢのうち、大サブスペーサ４５０ＳＡの一部を置き換えた位置に配される。メインスペーサ５０Ｍは、赤色もしくは青色を呈する画素部４９０に隣接する交差部４４１Ａに設けることが好ましい。なお、本実施形態では、４個のメインスペーサ臨接画素部４９０Ｍに隣接する画素部間遮光部４４１のうち、各メインスペーサ臨接画素部４９０Ｍについてメインスペーサ５０Ｍの対角となる位置には、大サブスペーサ４５０ＳＡが配されることとなる。
【０１０３】
［検証実験４］
メインスペーサ５０Ｍ並びに大サブスペーサ４５０ＳＡ及び小サブスペーサ４５０ＳＢを上記のように配設したことによる、パネル透過率への影響について知見を得るため、下記のように検証実験４を行った。この検証実験４では、本実施形態４に係るＣＦ基板４２０（図１１等参照）を備えた液晶パネルを実施例４とする。比較例１は、検証実験１で用いたのと同様の液晶パネルである。
【０１０４】
図１２の表に示すように、実施例４の液晶パネルも、比較例１と同じく、サブスペーサ面積密度が６．４％となるように、スペーサ４５０の寸法形状や配設比率等を調整した。これにより、実施例４の液晶パネルについても、一定の耐表面押圧力が確保される。具体的には、比較例１に係るサブスペーサ１５０Ｓは基底部の直径が１５．０μｍになるように形成したのに対し、実施例４に係る大サブスペーサ４５０ＳＡは基底部の直径が１８．０μｍ、小サブスペーサ４５０ＳＢは基底部の直径が１１．０μｍとなるように形成した。なお、実施例１の液晶パネルと比較すると、大サブスペーサの配設数が増加しているため、大サブスペーサ４５０ＳＡは配設面積が若干小さくなるように形成している。
【０１０５】
さらに、本実施例４の液晶パネルでは、全てのサブスペーサ用拡張遮光部４４２ＳＡ，４４２ＳＢを、開口率比を調整するためのダミー領域を殆ど含まない大きさとなるように、具体的には、大サブスペーサ４５０ＳＡもしくは小サブスペーサ４５０ＳＢの外周からの拡張幅が６．５０μｍとなるように、配設した。なお、検証実験１について既述したように、比較例１の液晶パネルでは、サブスペーサ用拡張遮光部１４２Ｓを、サブスペーサ１５０Ｓ外周からの拡張幅が８．２５μｍとなるように配設している。
【０１０６】
上記のような実施例４及び比較例１の液晶パネルについて、各色を呈する画素部４９０，１９０についての平均開口率と、メインスペーサ非臨接画素部４９０Ｎ，１９０Ｎの開口率に対するメインスペーサ臨接画素部４９０Ｍ，１９０Ｍの開口率比を算出するとともに、パネル透過率を測定した。結果を、図１２の表に示す。パネル透過率は、各液晶パネルにバックライト装置を付設した液晶表示装置を作製し、当該液晶装置を白表示させて測定した画像表示領域の照度を、バックライト装置単体の照度を１００とするパーセントで表した値である。図１２の表には、比較例１のパネル透過率と、実施例４のパネル透過率とを比較した相対値も併記している。
【０１０７】
図１２の表に示されているように、実施例４では、各色画素部４９０−Ｒ，４９０−Ｇ，４９０−Ｂについて算出される平均開口率は比較例１と同様にほぼ等しくなるが、各画素部４９０の開口率が比較例１よりも全体的に向上した。これは、サブスペーサ用拡張遮光部４４２ＳＡ，４４２ＳＢに含まれるダミー領域を減らし、遮光層の配設面積を全体的に縮小したためと考えられる。この結果、実施例４の液晶パネルでは、比較例１の液晶パネルと比較して、パネル透過率を約３．６％向上させることができた。
【０１０８】
なお、開口率比は、実施例４の液晶パネルにおいて、赤色画素部４９０−Ｒ及び青色画素部４９０−Ｂの何れについても、比較例１に比べると若干低下した。本実施形態では、メインスペーサ臨接画素部４９０Ｍに隣接する画素部間遮光部４４１に、１個ずつの大サブスペーサ４５０ＳＡが配されていることで、メインスペーサ臨接画素部４９０Ｍ内に、大きなメインスペーサ用拡張遮光部４２Ｍに加えて比較的大きな大サブスペーサ用拡張遮光部４４２ＳＡが形成されている。このため、メインスペーサ臨接画素部４９０Ｍの開口率が低下したと考えられる。しかしながら、ダミー領域を殆ど含まないようにサブスペーサ用拡張遮光部４４２ＳＡ，４４２ＳＢを形成したにも関わらず、実施例４の液晶パネルでも９３％以上の開口率を確保することができた。
【０１０９】
以上説明したように、本実施形態４に係る液晶パネル及びこれを備える液晶表示装置は、実施形態１に記載した（１−１）から（１−４）、（１−７）から（１−９）、（１−１１）と同様の構成を有し、これらについて既述したのと同様の作用効果を奏するのに加え、下記（４−１）の構成を有する。
【０１１０】
（４−１）  本実施形態４に係る液晶パネルにおいて、画素部４９０は、Ｘ軸方向（行方向）について緑色画素部（第１画素部）４９０−Ｇと赤色画素部（第２画素部）４９０−Ｒとが一定の順序で繰り返し並ぶとともに、Ｙ軸方向（列方向）については緑色画素部４９０−Ｇもしくは赤色画素部４９０−Ｒのそれぞれが繰り返し並ぶように配列されており、大サブスペーサ（第２スペーサ）４５０ＳＡ及び小サブスペーサ（第３スペーサ）４５０ＳＢは、画素部４９０に対し、Ｘ軸方向についての配置が一定となるとともにＹ軸方向についての配置は１個ずつ（所定量だけ）シフトして、千鳥状に並ぶように配されている。このような構成によれば、耐表面押圧力の高い大サブスペーサ４５０ＳＡが液晶パネル内に分散配置されるのみならず、比較的大きな大サブスペーサ用拡張遮光部４４２ＳＡを要する大サブスペーサ４５０ＳＡが液晶パネル内に一定の分布頻度で分布することで、拡張遮光部４４２が液晶パネルにおいて分散配置される。これにより、表示ムラが一層緩和されて高い画像表示品位が維持できるとともに、液晶パネル全体について一様に高い耐表面押圧力を確保することができる。
【０１１１】
＜実施形態５＞
実施形態５を、図１３及び図１４によって説明する。本実施形態５でも、大サブスペーサ５５０ＳＡ及び小サブスペーサ５５０ＳＢの配置を変え、これに合わせて大サブスペーサ用拡張遮光部５４２ＳＡ及び小サブスペーサ用拡張遮光部５４２ＳＢを配置した液晶パネルを例示する。
【０１１２】
図１３に示すように、本実施形態に係るＣＦ基板５２０では、基本的に、実施形態４と同様、Ｘ軸方向及びＹ軸方向について、大サブスペーサ５５０ＳＡと小サブスペーサ５５０ＳＢとが千鳥状に並んで配された構成とされており、大サブスペーサ５５０ＳＡと小サブスペーサ５５０ＳＢの配設数の比は、概ね１：１である。大サブスペーサ５５０ＳＡと小サブスペーサ５５０ＳＢは、Ｘ軸方向及びＹ軸方向に、何れも１個ずつが交互に並んで配される。赤色画素部５９０−Ｒ、緑色画素部５９０−Ｇ、青色画素部５９０−Ｂの配置は、実施形態１の各画素部９０の配置と同様であり、大サブスペーサ５５０ＳＡ及び小サブスペーサ５５０ＳＢは、各色の画素部５９０に対する相対的な配置が略同等となるように配される。
【０１１３】
メインスペーサ５０Ｍは、本実施形態に係る液晶パネルでも、実施形態１と同様に配設数が少なく、基本的に上記のような一定の順序で配されたサブスペーサ５５０ＳＡ，５５０ＳＢのうち、大サブスペーサ５５０ＳＡの一部を置き換えた位置に配される。メインスペーサ５０Ｍは、赤色もしくは青色を呈する画素部５９０に隣接する交差部５４１Ａに設けることが好ましい。本実施形態ではさらに、メインスペーサ５０Ｍに隣り合うように配されるスペーサ５５０のうち、本来であれば大サブスペーサ５５０ＳＡが配される位置にあるものを、小サブスペーサ５５０ＳＢで置き換える。具体的には、あるメインスペーサ５０Ｍに着目した場合、当該メインスペーサ５０Ｍの斜め方向に隣り合う計４ヶ所に、小サブスペーサ５５０ＳＢが配される。上記した実施形態４の液晶パネルでは、あるメインスペーサ５０Ｍ周囲の４個のメインスペーサ臨接画素部４９０Ｍに隣接する画素部間遮光部４４１のうち、各メインスペーサ臨接画素部４９０Ｍについてメインスペーサ５０Ｍの対角となる位置には、大サブスペーサ４５０ＳＡが配されていた。これに対し、本実施形態では、４個のメインスペーサ臨接画素部５９０Ｍに隣接する画素部間遮光部５４１に配されるスペーサ５５０は、全て小サブスペーサ５５０ＳＢとなる。
【０１１４】
上記のような配置によれば、メインスペーサ臨接画素部５９０Ｍ内に、比較的大きな大サブスペーサ用拡張遮光部５４２ＳＡが設けられることはなく、大きなメインスペーサ用拡張遮光部４２Ｍのほかは、小さな小サブスペーサ用拡張遮光部５４２ＳＢのみが配されることとなる。
【０１１５】
［検証実験５］
メインスペーサ５０Ｍ並びに大サブスペーサ５５０ＳＡ及び小サブスペーサ５５０ＳＢを上記のように配設したことによる、パネル透過率への影響について知見を得るため、下記のように検証実験５を行った。この検証実験５では、本実施形態５に係るＣＦ基板５２０（図１３等参照）を備えた液晶パネルを実施例５とする。比較例１は、検証実験１で用いたのと同様の液晶パネルである。
【０１１６】
図１４の表に示すように、実施例５の液晶パネルも、比較例１と同じく、サブスペーサ面積密度が６．４％となるように、スペーサ５５０の寸法形状や配設比率等を調整した。これにより、実施例５の液晶パネルについても、一定の耐表面押圧力が確保される。具体的には、比較例１に係るサブスペーサ１５０Ｓは基底部の直径が１５．０μｍになるように形成したのに対し、実施例５に係る大サブスペーサ５５０ＳＡは基底部の直径が１８．０μｍ、小サブスペーサ５５０ＳＢは基底部の直径が１１．０μｍとなるように形成した。なお、実施例１の液晶パネルと比較すると、大サブスペーサの配設数が増加しているため、大サブスペーサ５５０ＳＡは配設面積が若干小さくなるように形成している。
【０１１７】
さらに、本実施例５の液晶パネルでは、全てのサブスペーサ用拡張遮光部５４２ＳＡ，５４２ＳＢを、開口率比を調整するためのダミー領域を殆ど含まない大きさとなるように、具体的には、大サブスペーサ５５０ＳＡもしくは小サブスペーサ５５０ＳＢの外周からの拡張幅が６．５０μｍとなるように、配設した。なお、検証実験１について既述したように、比較例１の液晶パネルでは、サブスペーサ用拡張遮光部１４２Ｓを、サブスペーサ１５０Ｓ外周からの拡張幅が８．２５μｍとなるように配設している。
【０１１８】
上記のような実施例５及び比較例１の液晶パネルについて、各色を呈する画素部５９０，１９０についての平均開口率と、メインスペーサ非臨接画素部５９０Ｎ，１９０Ｎの開口率に対するメインスペーサ臨接画素部５９０Ｍ，１９０Ｍの開口率比を算出するとともに、パネル透過率を測定した。結果を、図１４の表に示す。パネル透過率は、各液晶パネルにバックライト装置を付設した液晶表示装置を作製し、当該液晶装置を白表示させて測定した画像表示領域の照度を、バックライト装置単体の照度を１００とするパーセントで表した値である。図１４の表には、比較例１のパネル透過率と、実施例５のパネル透過率とを比較した相対値も併記している。
【０１１９】
図１４の表に示されているように、実施例５では、各色画素部５９０−Ｒ，５９０−Ｇ，５９０−Ｂについて算出される平均開口率は比較例１と同様にほぼ等しくなるが、各画素部５９０の開口率が比較例１よりも全体的に向上する。これは、サブスペーサ用拡張遮光部５４２ＳＡ，５４２ＳＢに含まれるダミー領域を減らし、遮光層の配設面積を全体的に縮小したためと考えられる。この結果、実施例５の液晶パネルでは、比較例１の液晶パネルと比較して、パネル透過率を約３．６％向上させることができた。
【０１２０】
また、開口率比は、実施例５の液晶パネルにおいて、赤色画素部５９０−Ｒ及び青色画素部５９０−Ｂの何れについても、比較例１と同様に９５％以上とすることができた。これは、メインスペーサ臨接画素部５９０Ｍに隣接する画素部間遮光部５４１に配されるスペーサ５５０を全て小さな小サブスペーサ５５０ＳＢとし、メインスペーサ臨接画素部５９０Ｍ内に形成される拡張遮光部５４２を抑制したためと考えられる。このように、実施例５の液晶パネルでは、メインスペーサ臨接画素部５９０Ｍにおける局所的な輝度の低下が認められ難く、ダミー領域をサブスペーサ用拡張遮光部５４２ＳＡ，５４２ＳＢに含めなくとも高い開口率比を実現することができ、一定の画像表示品位が確保されることが知られた。
【０１２１】
以上説明したように、本実施形態５に係る液晶パネル及びこれを備える液晶表示装置は、実施形態１に記載した（１−１）から（１−４）、（１−７）、（１−９）、（１−１１）と同様の構成を有し、これらについて既述したのと同様の作用効果を奏するのに加え、下記（５−１）及び（５−２）の構成を有する。
【０１２２】
（５−１）  本実施形態５に係る液晶パネルにおいて、画素部５９０は、Ｘ軸方向（行方向）について緑色画素部（第１画素部）５９０−Ｇと赤色画素部（第２画素部）５９０−Ｒとが一定の順序で繰り返し並ぶとともに、Ｙ軸方向（列方向）については緑色画素部５９０−Ｇもしくは赤色画素部５９０−Ｒのそれぞれが繰り返し並ぶように配列されており、大サブスペーサ（第２スペーサ）５５０ＳＡ及び小サブスペーサ（第３スペーサ）５５０ＳＢは、画素部５９０に対し、Ｘ軸方向についての配置が一定となるとともにＹ軸方向についての配置は１個ずつ（所定量だけ）シフトして、千鳥状に並ぶように配されている。このような構成によれば、耐表面押圧力の高い大サブスペーサ５５０ＳＡが液晶パネル内に分散配置されるのみならず、比較的大きな大サブスペーサ用拡張遮光部５４２ＳＡを要する大サブスペーサ５５０ＳＡが液晶パネル内に一定の分布頻度で分布することで、拡張遮光部５４２が液晶パネルにおいて分散配置される。これにより、表示ムラが一層緩和されて高い画像表示品位が維持できるとともに、液晶パネル全体について一様に高い耐表面押圧力を確保することができる。
【０１２３】
（５−２）  本実施形態５に係る液晶パネルにおいて、メインスペーサ臨接画素部５９０Ｍに隣接する画素部間遮光部５４１には、大サブスペーサ５５０ＳＡは設けられていない。このような構成によれば、大きなメインスペーサ用拡張遮光部４２Ｍが形成されるために開口率の低下が避けられないメインスペーサ臨接画素部５９０Ｍ内に、比較的大きな大サブスペーサ用拡張遮光部５４２ＳＡが設けられないこととなり、メインスペーサ臨接画素部５９０Ｍに設けられる拡張遮光部５４２を縮小し、当該メインスペーサ臨接画素部５９０Ｍの開口率の低下を抑制できる。この結果、サブスペーサ用拡張遮光部５４２ＳＡ，５４２ＳＢに含まれるダミー領域を抑制しながらメインスペーサ非臨接画素部５９０Ｎに対するメインスペーサ臨接画素部５９０Ｍの開口率比を高く維持し、メインスペーサ臨接画素部５９０Ｍにおける局所的な輝度低下を抑制して、優れた画像表示品位を確保することができる。
【０１２４】
＜実施形態６＞
実施形態６を、図１５及び図１６によって説明する。本実施形態６でも、大サブスペーサ６５０ＳＡ及び小サブスペーサ６５０ＳＢの配置を変え、これに合わせて大サブスペーサ用拡張遮光部６４２ＳＡ及び小サブスペーサ用拡張遮光部６４２ＳＢを配置した液晶パネルを例示する。
【０１２５】
図１５に示すように、本実施形態に係るＣＦ基板６２０では、基本的に、実施形態４と同様、Ｘ軸方向及びＹ軸方向について、大サブスペーサ６５０ＳＡと小サブスペーサ６５０ＳＢとが千鳥状に並んで配された構成とされており、大サブスペーサ６５０ＳＡと小サブスペーサ６５０ＳＢの配設数の比は、概ね１：１である。大サブスペーサ６５０ＳＡと小サブスペーサ６５０ＳＢは、Ｘ軸方向及びＹ軸方向に、何れも１個ずつが交互に並んで配される。赤色画素部６９０−Ｒ、緑色画素部６９０−Ｇ、青色画素部６９０−Ｂの配置は、実施形態１の各画素部９０の配置と同様であり、大サブスペーサ６５０ＳＡ及び小サブスペーサ６５０ＳＢは、各色の画素部６９０に対する相対的な配置が略同等となるように配される。
【０１２６】
メインスペーサ５０Ｍは、本実施形態に係る液晶パネルでも実施形態１と同様に配設数が少ないが、基本的に上記のような一定の順序で配されたサブスペーサ６５０ＳＡ，６５０ＳＢのうち、小サブスペーサ６５０ＳＢの一部を置き換えた位置に配される。メインスペーサ５０Ｍは、赤色もしくは青色を呈する画素部６９０に隣接する交差部６４１Ａに設けることが好ましい。本実施形態ではさらに、メインスペーサ５０Ｍに隣り合うように配されるスペーサ６５０のうち、本来であれば大サブスペーサ６５０ＳＡが配される位置にあるものを、小サブスペーサ６５０ＳＢで置き換える。具体的には、あるメインスペーサ５０Ｍに着目した場合、Ｘ軸方向及びＹ軸方向について当該メインスペーサ５０Ｍに隣り合う計４ヶ所に、小サブスペーサ６５０ＳＢが配される。これにより、本実施形態では、４個のメインスペーサ臨接画素部６９０Ｍに隣接する画素部間遮光部６４１に配されるスペーサ６５０は、全て小サブスペーサ６５０ＳＢとなる。上記した実施形態５の液晶パネルでは、Ｘ軸方向及びＹ軸方向についてメインスペーサ５０Ｍを挟む行及び列において、小サブスペーサ５５０ＳＢが５個ずつ連続配置される箇所が生じ、このような箇所では、局所的な表面押圧力に対する強度が低下する虞があった。これに対し、本実施形態では、小サブスペーサ６５０ＳＢが４個以上並んで連続配置される箇所が生じることはなく、局所的な表面押圧力に対する強度への不安も抑えられる。
【０１２７】
上記のような配置によれば、メインスペーサ臨接画素部６９０Ｍ内に、比較的大きな大サブスペーサ用拡張遮光部６４２ＳＡが設けられることはなく、大きなメインスペーサ用拡張遮光部４２Ｍのほかは、小さな小サブスペーサ用拡張遮光部６４２ＳＢのみが配されることとなる。
【０１２８】
［検証実験６］
メインスペーサ５０Ｍ並びに大サブスペーサ６５０ＳＡ及び小サブスペーサ６５０ＳＢを上記のように配設したことによる、パネル透過率への影響について知見を得るため、下記のように検証実験６を行った。この検証実験６では、本実施形態６に係るＣＦ基板６２０（図１５等参照）を備えた液晶パネルを実施例６とする。比較例１は、検証実験１で用いたのと同様の液晶パネルである。
【０１２９】
図１６の表に示すように、実施例６の液晶パネルも、比較例１と同じく、サブスペーサ面積密度が６．４％となるように、スペーサ６５０の寸法形状や配設比率等を調整した。これにより、実施例６の液晶パネルについても、一定の耐表面押圧力が確保される。具体的には、比較例１に係るサブスペーサ１５０Ｓは基底部の直径が１５．０μｍになるように形成したのに対し、実施例６に係る大サブスペーサ６５０ＳＡは基底部の直径が１８．０μｍ、小サブスペーサ６５０ＳＢは基底部の直径が１１．０μｍとなるように形成した。なお、実施例１の液晶パネルと比較すると、大サブスペーサの配設数が増加しているため、大サブスペーサ６５０ＳＡは配設面積が若干小さくなるように形成している。
【０１３０】
さらに、本実施例６の液晶パネルでは、全てのサブスペーサ用拡張遮光部６４２ＳＡ，６４２ＳＢを、開口率比を調整するためのダミー領域を殆ど含まない大きさとなるように、具体的には、大サブスペーサ６５０ＳＡもしくは小サブスペーサ６５０ＳＢの外周からの拡張幅が６．５０μｍとなるように、配設した。なお、検証実験１について既述したように、比較例１の液晶パネルでは、サブスペーサ用拡張遮光部１４２Ｓを、サブスペーサ１５０Ｓ外周からの拡張幅が８．２５μｍとなるように配設している。
【０１３１】
上記のような実施例６及び比較例１の液晶パネルについて、各色を呈する画素部６９０，１９０についての平均開口率と、メインスペーサ非臨接画素部６９０Ｎ，１９０Ｎの開口率に対するメインスペーサ臨接画素部６９０Ｍ，１９０Ｍの開口率比を算出するとともに、パネル透過率を測定した。結果を、図１６の表に示す。パネル透過率は、各液晶パネルにバックライト装置を付設した液晶表示装置を作製し、当該液晶装置を白表示させて測定した画像表示領域の照度を、バックライト装置単体の照度を１００とするパーセントで表した値である。図１６の表には、比較例１のパネル透過率と、実施例６のパネル透過率とを比較した相対値も併記している。
【０１３２】
図１６の表に示されているように、実施例６では、各色画素部６９０−Ｒ，６９０−Ｇ，６９０−Ｂについて算出される平均開口率は比較例１と同様にほぼ等しくなるが、各色画素部６９０の開口率が全体的に比較例１よりも高くなった。これは、サブスペーサ用拡張遮光部６４２ＳＡ，６４２ＳＢに含まれるダミー領域を減らし、遮光層の配設面積を全体的に縮小したためと考えられる。この結果、実施例６の液晶パネルでは、比較例１の液晶パネルと比較して、パネル透過率を約３．６％向上させることができた。
【０１３３】
また、開口率比は、実施例６の液晶パネルにおいて、赤色画素部６９０−Ｒ及び青色画素部６９０−Ｂの何れについても、比較例１と同様に９５％以上とできることが知られた。これは、メインスペーサ臨接画素部６９０Ｍに隣接する画素部間遮光部６４１に配されるスペーサ６５０を全て小さな小サブスペーサ６５０ＳＢとし、メインスペーサ臨接画素部６９０Ｍ内に形成される拡張遮光部６４２を抑制したためと考えられる。このように、実施例６の液晶パネルでは、メインスペーサ臨接画素部６９０Ｍにおける局所的な輝度の低下が認められ難く、ダミー領域をサブスペーサ用拡張遮光部６４２ＳＡ，６４２ＳＢに含めなくとも高い開口率比を実現することができ、一定の画像表示品位を確保可能であることが知られた。
【０１３４】
以上説明したように、本実施形態６に係る液晶パネル及びこれを備える液晶表示装置は、実施形態１に記載した（１−１）、（１−２）、（１−４）、（１−９）、（１−１１）と同様の構成を有し、これらについて既述したのと同様の作用効果を奏するのに加え、下記（６−１）及び（６−２）の構成を有する。
【０１３５】
（６−１）  本実施形態６に係る液晶パネルにおいて、画素部６９０は、Ｘ軸方向（行方向）について緑色画素部（第１画素部）６９０−Ｇと赤色画素部（第２画素部）６９０−Ｒとが一定の順序で繰り返し並ぶとともに、Ｙ軸方向（列方向）については緑色画素部６９０−Ｇもしくは赤色画素部６９０−Ｒのそれぞれが繰り返し並ぶように配列されており、大サブスペーサ（第２スペーサ）６５０ＳＡ及び小サブスペーサ（第３スペーサ）６５０ＳＢは、画素部６９０に対し、Ｘ軸方向についての配置が一定となるとともにＹ軸方向についての配置は１個ずつ（所定量だけ）シフトして、千鳥状に並ぶように配されている。このような構成によれば、耐表面押圧力の高い大サブスペーサ６５０ＳＡが液晶パネル内に分散配置されるのみならず、比較的大きな大サブスペーサ用拡張遮光部６４２ＳＡを要する大サブスペーサ６５０ＳＡが液晶パネル内に一定の分布頻度で分布することで、拡張遮光部６４２が液晶パネルにおいて分散配置される。これにより、表示ムラが一層緩和されて高い画像表示品位が維持できるとともに、液晶パネル全体について一様に高い耐表面押圧力を確保することができる。
【０１３６】
（６−２）  本実施形態６に係る液晶パネルにおいて、メインスペーサ臨接画素部６９０Ｍに隣接する画素部間遮光部６４１には、大サブスペーサ６５０ＳＡは設けられていない。このような構成によれば、大きなメインスペーサ用拡張遮光部４２Ｍが形成されるために開口率の低下が避けられないメインスペーサ臨接画素部６９０Ｍに、比較的大きな大サブスペーサ用拡張遮光部を要する大サブスペーサ６５０ＳＡが設けられないことにより、メインスペーサ臨接画素部６９０Ｍに設けられる拡張遮光部６４２を縮小し、当該メインスペーサ臨接画素部６９０Ｍの開口率の低下を抑制できる。この結果、サブスペーサ用拡張遮光部６４２ＳＡ，６４２ＳＢに含まれるダミー領域を抑制しながらメインスペーサ非臨接画素部６９０Ｎに対するメインスペーサ臨接画素部６９０Ｍの開口率比を高く維持し、メインスペーサ臨接画素部６９０Ｍにおける局所的な輝度低下を抑制して、優れた画像表示品位を確保することができる。
【０１３７】
さらに、本実施形態では、大サブスペーサ６５０ＳＡが配置されない交差部６４１Ａが、４個以上並んで連続配置される箇所がないものとされている。これにより、局所的な表面押圧力に対する強度への不安が抑えられ、液晶パネルの全面において一様に高い耐表面押圧力を確保することができる。
【０１３８】
＜他の実施形態＞
本技術は、上記記述及び図面によって説明した実施形態に限定されるものではなく、実施形態に記載した画素部及び画素、スペーサ、遮光部等の構造物の寸法形状や配置は一例に過ぎず、適宜に変更可能である。例えば、次のような実施形態も本技術の技術的範囲に含まれる。
【０１３９】
（１）上記実施形態では、スペーサに、基板間隔を規定する第１スペーサと、耐表面押圧力を担う第２スペーサ及び第３スペーサと、の３種類が含まれる場合について例示したが、これに限定されない。スペーサには、４種類以上が含まれるものとしてもよい。例えば、図１７について後述するように、耐表面押圧力を担うサブスペーサとして、第２スペーサや第３スペーサとは寸法形状が異なる第４スペーサや第５スペーサが含まれていてもよい。また、基板間隔を規定メインスペーサとして、第１スペーサとは寸法形状の異なるスペーサが含まれていてもよい。
【０１４０】
（２）上記実施形態では、スペーサが、何れも断面形状が円盤状をなす先細りとなる円錐台形状をなす場合について例示したが、これに限定されない。スペーサは、例えば基端から突出端まで同じ断面積を持つように設けてもよい。また、断面が三角形、四角形、八角形等の多角形状や不定形状をなしたり、Ｘ軸方向とＹ軸方向の配設幅が異なったりするように設けてもよい。また、スペーサが互いに相似形である必要もなく、互いに異なる形状に形成されていてもよい。図１７に、互いに配設面積の異なる楕円形状の断面をなす４種類のスペーサ、すなわち第１スペーサ７５０Ｍ、第２スペーサ７５０ＳＡ、第３スペーサ７５０ＳＢに加え、第３スペーサ７５０ＳＢよりも配設面積の小さい第４スペーサ７５０ＳＣを設けた場合の、平面配置の一例を示す。図１７に示すように、スペーサ７５０に臨む画素部７９０の内側には、配設されたスペーサ７５０に合わせた大きさの拡張遮光部７４２が形成される。なお、図１７では、これらのスペーサ７５０が、画素部間遮光部のうちＸ軸方向延在部分７４１Ｘに沿って並ぶように配されている場合について例示しているが、このような場合、断面がＸ軸方向を長軸とする楕円推状や楕円柱状をなすようにスペーサ７５０を形成すれば、画素部間遮光部７４１内に包含されるスペーサ遮光部を大きくすることができ、好ましい。
【０１４１】
（３）上記実施形態では、第１スペーサが基板間隔Ｇとほぼ等しい突出長を有するように形成された場合について例示したが、これに限定されない。例えば、第１スペーサを、突出長が基板間隔Ｇよりも小さくなるように形成し、第１スペーサが設けられた基板に対向配置される他方の基板において当該第１スペーサと対向する位置に台座部を配し、第１スペーサの突出端が台座部において他方の基板に当接する構成としてもよい。なお、第２スペーサや第３スペーサの突出端と対向する位置に、クリアランスが維持されるような寸法形状の台座部が設けられていてもよい。また、第２スペーサと第３スペーサの突出長が互いに異なるように形成してもよい。
【０１４２】
（４）上記実施形態では、スペーサを、何れも画素部間遮光部のうちＸ軸方向延在部分とＹ軸方向延在部分の中心線の交点に、その中心を重畳させるように配した場合について例示したが、これに限定されない。スペーサを、上記中心線からシフトした位置にその中心が重畳するように配してもよい。このようにシフトさせる場合、スペーサの一部をシフトさせてもよく、全部をシフトさせてもよい。スペーサは、Ｘ軸方向にシフトさせてもよく、Ｙ軸方向にシフトさせてもよい。図１８に、スペーサの一部をＸ軸方向にシフトさせた場合の、平面配置の一例を示す。図１８では、Ｘ軸方向に、第１スペーサ８５０Ｍ→第３スペーサ８５０ＳＢ→第３スペーサ８５０ＳＢ→第２スペーサ８５０ＳＡ、の順で並んで配されたスペーサ８５０のうち、第３スペーサ８５０ＳＢと第２スペーサ８５０ＳＡとの間に配された第３スペーサ８５０ＳＢのみを、第２スペーサ８５０ＳＡ側にシフトさせている。このとき、画素部８９０に、パネル透過率寄与度が高い第１画素部８９０−Ｇと、これよりもパネル透過率寄与度が低い第２画素部８９０−Ｂと、が含まれている場合には、パネル透過寄与率の高い第１画素部８９０−Ｇから離れる方向にシフトさせることが好ましい。このようにすれば、第１画素部８９０−Ｇの開口率が高くなることで、パネル透過率の低下が抑制されたり、パネル透過率が向上したりする可能性があるからである。また、大きなスペーサ遮光部を要する第１スペーサ８５０Ｍや第２スペーサ８５０ＳＡは、遮光層の配設面積を抑制する観点から、画素部間遮光部のうちＸ軸方向延在部分とＹ軸方向延在部分の中心線の交点に、その中心を重畳させるように配することが好ましいため、一部のスペーサ８５０のみをシフトさせる場合には、スペーサ遮光部が比較的小さくてよい第３スペーサ８５０ＳＢをシフトさせることが好ましい。
【０１４３】
（５）上記実施形態では、スペーサを、何れも格子状をなす画素部間遮光部の交差部に配置した場合について例示したが、これに限定されない。例えば、図１９に示すように、交差部９４１ＡではないＸ軸方向延在部分９４１Ｘに、スペーサ９５０を配してもよい。個々の画素部の面積が大きい場合、このように配置することが好ましい場合がある。画素部の面積が小さい場合は、各画素部について一定の開口面積を維持する必要があるため、スペーサは交差部に配置することが好ましい。なお、図１９では、スペーサ９５０を構成する第１スペーサ９５０Ｍ、第２スペーサ９５０ＳＡ、第３スペーサ９５０ＳＢの全てを交差部９４１Ａではない部分に配設しているが、これらの一部を交差部９４１Ａに配設し、残りを交差部９４１Ａではない部分に配設してもよい。
【０１４４】
（６）上記実施形態では、第１スペーサ用拡張遮光部の方が、第２スペーサ用拡張遮光部よりも大きい場合について例示したが、これに限定されない。第１スペーサ用拡張遮光部と、第２スペーサ用拡張遮光部とが同じ面積となるようにしてもよい。このようにすれば、色ムラや輝度ムラが抑制されるように表示パネルを設計し易くなり、好ましい。
【０１４５】
（７）上記実施形態では、スペーサが配設された交差部に臨む４個の各画素部に設けられる４個の拡張遮光部の面積や平面形状が同等となる場合について例示したが、これに限定されない。これらの平面形状は、互いに異なっていてもよく、拡張遮光部は、スペーサが配設された画素部間遮光部に臨む画素部のうち、一部の画素部のみに設けられていてもよい。
【０１４６】
（８）上記実施形態では、赤色、青色、緑色の３色の着色部を含み、３色の画素部によって画素が構成されている場合について記載したが、これに限定されない。例えば、上記３色に代えて、もしくは加えて、カラーフィルタが黄色の波長領域に属する黄色光を選択的に透過する黄色着色部を、画素部が黄色を呈する黄色画素部を、それぞれ含む構成としてもよい。また、カラーフィルタが無着色部を、画素部が透明画素部を、それぞれ含む構成としてもよい。このような場合、透明画素部が最もパネル透過率寄与度が高く、黄色画素部もパネル透過率寄与度が高いため、これらの画素部の開口率が高くなるようにスペーサを配置することが好ましい。さらに、これらの色に代えて、もしくは加えて、異なる色を呈する着色部や画素部を設置してもよい。
【０１４７】
（９）上記実施形態に記載した着色部や画素部の配置（並び順）は、適宜に変更可能である。例えば、着色部及び画素部は、Ｘ軸方向について同色のものが続けて並び、Ｙ軸方向について異なる色を呈するものが繰り返し並ぶ配置としてもよい。また、Ｘ軸方向及びＹ軸方向について異なる色を呈するものが繰り返し並ぶ配置としてもよい。
【０１４８】
（１０）上記実施形態では、画素電極や画素部間遮光部の開口部分が略平行四辺形状である場合について例示したが、これらの平面形状は適宜変更可能である。
【０１４９】
（１１）上記実施形態では、全てのスペーサがＣＦ基板に設けられる場合を示したが、これらはアレイ基板に設けられてもよい。また、スペーサの一部がＣＦ基板に、残りがアレイ基板に設けられていてもよい。
【０１５０】
（１２）上記実施形態では、画素部間遮光部及び拡張遮光部がＣＦ基板に設けられる場合を示したが、画素部間遮光部及び拡張遮光部は、アレイ基板に設けられてもよい。また、画素部間遮光部及び拡張遮光部は、ＣＦ基板とアレイ基板とに分散配置されてもよい。
【０１５１】
（１３）上記実施形態では、アレイ基板において、画素電極が相対的に液晶層側に、共通電極が相対的に透明基板側に、それぞれ配された場合を示したが、これに限定されない。画素電極と共通電極とが、相対的に逆になるように配置することも可能である。また、上記実施形態では、液晶分子に基板面に平行な方向（横方向）に電界を印加する横方向電界方式のＦＦＳ（Fringe Field Switching）モードの液晶パネルに用いられるアレイ基板を例示した。そのため、アレイ基板に、画素電極及び共通電極が形成されたものについて記載したが、このような構成に限定されることはない。他の動作モード、例えばＩＰＳ（In-Plane-Switching）モード、ＶＡ（Vertical Alignment）モード、ＴＮモード（Twisted Nematic）等で作動する液晶パネルにも、本技術を適用することができる。さらに、タッチセンサ機能を備える液晶パネルにも、本技術を適用することができる。
【０１５２】
（１４）上記した各実施形態では、平面形状が縦長の長方形とされる液晶パネルについて示したが、平面形状が横長の長方形や正方形を含む多角形や、円形、楕円形、不定形などとされる液晶パネルにも、本技術は適用可能である。
【０１５３】
（１５）上記実施形態では、液晶パネルのスイッチング素子として逆スタガ型のＴＦＴが設けられている場合について例示したが、これに限定されない。スイッチング素子として、スタガ型のＴＦＴや、薄膜ダイオード（ＴＦＤ）等のＴＦＴ以外の素子が設けられていてもよい。
【０１５４】
（１６）上記実施形態では、一対の基板間に液晶層が挟持された液晶パネルについて例示したが、これに限定されない。一対の基板間に、液晶材料以外の電気光学物質等の機能性有機分子（媒質層）を挟持した表示パネルについても本技術は適用可能である。すなわち、表示パネルとして、液晶パネルのみならず、他の種類の表示パネル（ＰＤＰ（プラズマディスプレイパネル）、有機ＥＬパネル、ＥＰＤ（マイクロカプセル型電気泳動方式のディスプレイパネル）、ＭＥＭＳ（Micro Electro Mechanical Systems）表示パネルなど）にも本技術は適用可能である。
【符号の説明】
【０１５５】
１…液晶表示装置（表示装置の一例）、１０…液晶パネル（表示パネルの一例）、２０，１２０，２２０，３２０，４２０，５２０，６２０…ＣＦ基板（一方の基板）、２２…カラーフィルタ、２４…着色部、３０…アレイ基板（他方の基板）、４０…遮光層、４１，１４１，２４１，３４１，４４１，５４１，６４１，７４１…画素部間遮光部、４１Ａ，１４１Ａ，２４１Ａ，３４１Ａ，４４１Ａ，５４１Ａ，６４１Ａ，９４１Ａ…交差部、４１Ｘ，１４１Ｘ，７４１Ｘ，９４１Ｘ…Ｘ軸方向延在部分、４１Ｙ，１４１Ｙ…Ｙ軸方向延在部分、４２，１４２，２４２，３４２，４４２，５４２，６４２，７４２…拡張遮光部、４２Ｍ…メインスペーサ用拡張遮光部、４２ＳＡ，２４２ＳＡ，４４２ＳＡ，５４２ＳＡ，６４２ＳＡ…大サブスペーサ用拡張遮光部、４２ＳＢ，２４２ＳＢ，４４２ＳＢ，５４２ＳＢ，６４２ＳＢ…小サブスペーサ用拡張遮光部、５０，１５０，２５０，３５０，４５０，５５０，６５０，７５０，８５０，９５０…スペーサ、５０Ｍ，７５０Ｍ，９５０Ｍ…メインスペーサ（第１スペーサの一例）、５０ＳＡ，２５０ＳＡ，３５０ＳＡ，４５０ＳＡ，５５０ＳＡ，６５０ＳＡ，７５０ＳＡ，９５０ＳＡ…大サブスペーサ（第２スペーサの一例）、５０ＳＢ，２５０ＳＢ，３５０ＳＢ，４５０ＳＢ，５５０ＳＢ，６５０ＳＢ，７５０ＳＢ９５０ＳＢ…小サブスペーサ（第３スペーサの一例）、９０−Ｂ，１９０−Ｂ，２９０−Ｂ，３９０−Ｂ，４９０−Ｂ，５９０−Ｂ，６９０−Ｂ…青色画素部（第３画素部の一例）、９０−Ｇ，１９０−Ｇ，２９０−Ｇ，３９０−Ｇ，４９０−Ｇ，５９０−Ｇ，６９０−Ｇ…緑色画素部（第１画素部の一例）、９０−Ｒ，１９０−Ｒ，２９０−Ｒ，３９０−Ｒ，４９０−Ｒ，５９０−Ｒ，６９０−Ｒ…赤色画素部（第２画素部の一例）、９０，１９０，２９０，３９０，４９０，５９０，６９０，７９０，８９０…画素部、９０Ｍ，１９０Ｍ，２９０Ｍ，３９０Ｍ，４９０Ｍ，５９０Ｍ，６９０Ｍ…メインスペーサ臨接画素部、９０Ｎ，１９０Ｎ，２９０Ｎ，３９０Ｎ，４９０Ｎ，５９０Ｎ，６９０Ｎ…メインスペーサ非臨接画素部、９１，２９１…画素、ＡＡ…表示領域（アクティブエリア）、ＮＡＡ…非表示領域（ノンアクティブエリア）、Ｇ…セルギャップ（基板間隔）、ＰＭ…突出長、ＰＳ…突出長、ＣＬＸ…中心線、ＣＬＹ…中心線
【図１】
2020173352.tif 000003
【図２】
2020173352.tif 000004
【図３】
2020173352.tif 000005
【図４】
2020173352.tif 000006
【図５】
2020173352.tif 000007
【図６】
2020173352.tif 000008
【図７】
2020173352.tif 000009
【図８】
2020173352.tif 000010
【図９】
2020173352.tif 000011
【図１０】
2020173352.tif 000012
【図１１】
2020173352.tif 000013
【図１２】
2020173352.tif 000014
【図１３】
2020173352.tif 000015
【図１４】
2020173352.tif 000016
【図１５】
2020173352.tif 000017
【図１６】
2020173352.tif 000018
【図１７】
2020173352.tif 000019
【図１８】
2020173352.tif 000020
【図１９】
2020173352.tif 000021